(57)【要約】電源投入時からファインダー内の表示の視認性を良好に確保できる撮像装置、撮像装置のファインダー内表示制御方法及び撮像装置のファインダー内表示制御プログラムを提供する。観察光学系３２を介して観察される被写体の光学像にファインダーＬＣＤ（３６）の表示を重畳させるビューファインダー（３０）において、被写体の光学像の光量を調整する可変ＮＤフィルター（４０）を備える。デジタルカメラの電源オフ中、時刻の情報を取得し、時間帯ごとに定められた透過率の情報に基づいて、可変ＮＤフィルター（４０）の目標透過率を更新する。目標透過率が更新された場合、可変ＮＤフィルター（４０）を駆動して、可変ＮＤフィルター（４０）の透過率を目標透過率に変化させる。
2019087930.tif 000002
【特許請求の範囲】
【請求項１】
被写体の光学像を観察する光学ファインダーと、
表示デバイスと、
前記光学ファインダーの光路中に配置され、前記光学ファインダーで観察される前記被写体の前記光学像に前記表示デバイスの表示を重畳させる重畳光学素子と、
前記光学ファインダーの光路中に配置され、前記重畳光学素子に入射する前記被写体の前記光学像の光量を調整する可変ＮＤフィルターと、
撮像装置の電源をオン、オフする電源操作部と、
時刻を計時する計時部と、
電源オフ中、前記計時部から時刻の情報を取得し、時間帯ごとに定められた透過率の情報に基づいて、前記可変ＮＤフィルターの目標透過率を更新する目標透過率更新部と、
前記目標透過率が更新された場合に前記可変ＮＤフィルターを駆動して、前記可変ＮＤフィルターの透過率を前記目標透過率に変化させる可変ＮＤフィルター制御部と、
を備えた撮像装置。
【請求項２】
撮像準備動作を検出する撮像準備動作検出部と、
電源オフ中に前記撮像準備動作検出部が撮像準備動作を検出した場合に、外光を測光する測光部と、
を更に備え、
前記目標透過率更新部は、電源オフ中に前記撮像準備動作検出部が撮像準備動作を検出すると、前記測光部の測光結果を取得し、前記目標透過率を前記測光部の測光結果に応じた透過率に更新する、
請求項１に記載の撮像装置。
【請求項３】
電源オフ中に前記撮像準備動作検出部が撮像準備動作を検出した場合に、前記目標透過率の更新の可否を判定する目標透過率更新可否判定部を更に備え、
前記目標透過率更新部は、前記目標透過率の更新が可と判定された場合に、前記目標透過率を前記測光部の測光結果に応じた透過率に更新する、
請求項２に記載の撮像装置。
【請求項４】
前記目標透過率更新可否判定部は、前記測光部の測光結果に基づいて、前記目標透過率の更新の可否を判定する、
請求項３に記載の撮像装置。
【請求項５】
水準器を更に備え、
前記撮像準備動作検出部は、前記水準器で水平状態又は垂直状態を検出して、撮像準備動作を検出する、
請求項２から４のいずれか１項に記載の撮像装置。
【請求項６】
前記測光部は、イメージセンサーの出力に基づいて外光を測光する、
請求項２から５のいずれか１項に記載の撮像装置。
【請求項７】
前記測光部は、照度センサーで構成される、
請求項２から５のいずれか１項に記載の撮像装置。
【請求項８】
バッテリー残量を検出するバッテリー残量検出部と、
前記バッテリー残量検出部で検出されるバッテリー残量に応じて、前記目標透過率更新部及び前記撮像準備動作検出部の動作を制限する動作制限部と、
を更に備えた請求項２から７のいずれか１項に記載の撮像装置。
【請求項９】
前記光学ファインダーは、撮像レンズとは独立した光学系で構成され、ファインダー窓部を介して入射する被写体の光学像を接眼部から観察する、
請求項１から８のいずれか１項に記載の撮像装置。
【請求項１０】
前記可変ＮＤフィルターが、前記ファインダー窓部に備えられる、
請求項９に記載の撮像装置。
【請求項１１】
前記可変ＮＤフィルターが、エレクトロクロミック素子で構成される、
請求項１から１０のいずれか１項に記載の撮像装置。
【請求項１２】
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する可変ＮＤフィルターと、を備えた撮像装置のファインダー内表示制御方法であって、
前記撮像装置の電源オフ中、時刻の情報を取得し、時間帯ごとに定められた透過率の情報に基づいて、前記可変ＮＤフィルターの目標透過率を更新するステップと、
前記目標透過率が更新された場合に前記可変ＮＤフィルターを駆動して、前記可変ＮＤフィルターの透過率を前記目標透過率に変化させるステップと、
を含む撮像装置のファインダー内表示制御方法。
【請求項１３】
前記撮像装置の電源オフ中に撮像準備動作を検出するステップと、
撮像準備動作が検出された場合に、外光を測光するステップと、
外光の測光結果を取得し、前記目標透過率を測光結果に応じた透過率に更新するステップと、
を更に含む請求項１２に記載の撮像装置のファインダー内表示制御方法。
【請求項１４】
撮像準備動作が検出された場合に、前記目標透過率の更新の可否を判定するステップを更に含み、
前記目標透過率の更新が可と判定された場合に、前記目標透過率を外光の測光結果に応じた透過率に更新する、
請求項１３に記載の撮像装置のファインダー内表示制御方法。
【請求項１５】
外光の測光結果に基づいて、前記目標透過率の更新の可否を判定するステップを更に含む、
請求項１４に記載の撮像装置のファインダー内表示制御方法。
【請求項１６】
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する可変ＮＤフィルターと、を備えた撮像装置のファインダー内表示制御プログラムであって、
前記撮像装置の電源オフ中、時刻の情報を取得し、時間帯ごとに定められた透過率の情報に基づいて、前記可変ＮＤフィルターの目標透過率を更新する機能と、
前記目標透過率が更新された場合に前記可変ＮＤフィルターを駆動して、前記可変ＮＤフィルターの透過率を前記目標透過率に変化させる機能と、
をコンピュータに実現させる、撮像装置のファインダー内表示制御プログラム。
【請求項１７】
前記撮像装置の電源オフ中に撮像準備動作が検出された場合に、外光の測光結果を取得し、前記目標透過率を測光結果に応じた透過率に更新する機能を更に含む、
請求項１６に記載の撮像装置のファインダー内表示制御プログラム。
【請求項１８】
撮像準備動作が検出された場合に、前記目標透過率の更新の可否を判定する機能を更に含み、
前記目標透過率の更新が可と判定された場合に、前記目標透過率を外光の測光結果に応じた透過率に更新する、
請求項１７に記載の撮像装置のファインダー内表示制御プログラム。
【請求項１９】
外光の測光結果に基づいて、前記目標透過率の更新の可否を判定する、
請求項１８に記載の撮像装置のファインダー内表示制御プログラム。
【請求項２０】
非一時的かつコンピュータ読取可能な記録媒体であって、前記記録媒体に格納された指令がコンピュータによって読み取られた場合に、
被写体の光学像を観察する光学ファインダーと、表示デバイスと、前記光学ファインダーの光路中に配置され、前記光学ファインダーで観察される前記被写体の前記光学像に前記表示デバイスの表示を重畳させる重畳光学素子と、前記光学ファインダーの光路中に配置され、前記重畳光学素子に入射する前記被写体の前記光学像の光量を調整する可変ＮＤフィルターと、を備えた撮像装置のファインダー内表示制御機能であって、
前記撮像装置の電源オフ中、時刻の情報を取得し、時間帯ごとに定められた透過率の情報に基づいて、前記可変ＮＤフィルターの目標透過率を更新する機能と、
前記目標透過率が更新された場合に前記可変ＮＤフィルターを駆動して、前記可変ＮＤフィルターの透過率を前記目標透過率に変化させる機能と、
を含むファインダー内表示制御機能をコンピュータに実現させる記録媒体。
【請求項２１】
前記ファインダー内表示制御機能が、前記撮像装置の電源オフ中に撮像準備動作が検出された場合に、外光の測光結果を取得し、前記目標透過率を測光結果に応じた透過率に更新する機能を更に含む、
請求項２０に記載の記録媒体。
【請求項２２】
前記ファインダー内表示制御機能が、撮像準備動作が検出された場合に、前記目標透過率の更新の可否を判定する機能を更に含み、
前記目標透過率の更新が可と判定された場合に、前記目標透過率を外光の測光結果に応じた透過率に更新する、
請求項２１に記載の記録媒体。
【請求項２３】
前記ファインダー内表示制御機能が、外光の測光結果に基づいて、前記目標透過率の更新の可否を判定する、
請求項２２に記載の記録媒体。
【発明の詳細な説明】
【技術分野】
【０００１】
本発明は、撮像装置、撮像装置のファインダー内表示制御方法及び撮像装置のファインダー内表示制御プログラムに係り、特に光学ファインダーの画面上に各種情報を映し出す機能を備えた撮像装置、撮像装置のファインダー内表示制御方法及び撮像装置のファインダー内表示制御プログラムに関する。
【背景技術】
【０００２】
光学ファインダーの画面上に各種情報を映し出す機能を備えた撮像装置が知られている。当該機能は、表示デバイスの表示をハーフミラーで重ねて見ることで実現される。しかし、表示デバイスの表示をハーフミラーで重ねて見る構成の場合、周囲の環境が明るいと、表示デバイスの表示が背景に溶け込んで、視認しづらくなるという問題がある。この問題を解決するため、特許文献１、２には、光学ファインダー内に可変ＮＤフィルター（ＮＤ： Neutral Density）を配置し、外光の明るさに応じて、その可変ＮＤフィルターの透過率を変化させる技術が提案されている。【０００３】
しかしながら、可変ＮＤフィルターは動作速度が遅く、切り替わりに一定の待ち時間を要するという欠点がある。このため、可変ＮＤフィルターの透過率を切り替えると、一定時間、ファインダー内の表示の視認性が低下するという欠点がある。【０００４】
このような可変ＮＤフィルターの欠点を解消するため、特許文献３には、撮像レンズに可変ＮＤフィルターを組み込んだデジタルカメラにおいて、イメージセンサーの駆動停止中に外光を測光し、その測光結果に応じて、可変ＮＤフィルターの透過率を変化させておく技術が提案されている。特許文献３によれば、イメージセンサーの駆動停止中に可変ＮＤフィルターの透過率を変化させておくので、撮像する際に、待ち時間なく撮像できる。
【先行技術文献】
【特許文献】
【０００５】
【特許文献１】特開2014-48491号公報
【特許文献２】特開2003-78785号公報
【特許文献２】特開2007-336169号公報
【発明の概要】
【発明が解決しようとする課題】
【０００６】
しかしながら、特許文献３には、デジタルカメラの電源がオフされている間の処理については、何も規定されていない。このため、特許文献３の技術でも、電源の投入時には、可変ＮＤフィルターの透過率の切り替わりに一定の待ち時間を要し、その間、ファインダー内の表示の視認性が低下するという欠点がある。【０００７】
これに対して、電源オフ中も常に外光を測光し、その測光結果に応じて、可変ＮＤフィルターの透過率を変化させることも考えられる。しかし、電源オフ中も常に測光していると、電源オフ中に電力を消費してしまうという欠点がある。【０００８】
本発明は、このような事情に鑑みてなされたもので、電源投入時からファインダー内の表示の視認性を良好に確保できる撮像装置、撮像装置のファインダー内表示制御方法及び撮像装置のファインダー内表示制御プログラムを提供することを目的とする。
【課題を解決するための手段】
【０００９】
上記課題を解決するための手段は、次のとおりである。【００１０】
（１）被写体の光学像を観察する光学ファインダーと、表示デバイスと、光学ファインダーの光路中に配置され、光学ファインダーで観察される被写体の光学像に表示デバイスの表示を重畳させる重畳光学素子と、光学ファインダーの光路中に配置され、重畳光学素子に入射する被写体の光学像の光量を調整する可変ＮＤフィルターと、撮像装置の電源をオン、オフする電源操作部と、時刻を計時する計時部と、電源オフ中、計時部から時刻の情報を取得し、時間帯ごとに定められた透過率の情報に基づいて、可変ＮＤフィルターの目標透過率を更新する目標透過率更新部と、目標透過率が更新された場合に可変ＮＤフィルターを駆動して、可変ＮＤフィルターの透過率を目標透過率に変化させる可変ＮＤフィルター制御部と、を備えた撮像装置。【００１１】
本態様によれば、光学ファインダーの光路中に可変ＮＤフィルターが備えられる。明るい環境で光学ファインダーを使用する場合は、可変ＮＤフィルターの透過率を下げる。これにより、明るい環境でもファインダー内の表示を見やすくできる。一方、可変ＮＤフィルターは、透過率の切り替わりに一定の時間を要するという欠点がある。本態様では、撮像装置の電源がオフされると、時刻に応じて、可変ＮＤフィルターの目標透過率が自動的に更新される。すなわち、設定すべき透過率の情報が時間帯ごとに定められており、その情報に基づいて、電源オフ中に可変ＮＤフィルターの目標透過率が自動的に更新される。たとえば、日中の時間帯と夜間の時間帯とに分け、それぞれについて設定すべき透過率が定められる。日中の時間帯は、周囲が明るい、と推定できるので、低い透過率に設定される。一方、夜間の時間帯は、周囲が暗い、と推定できるので、高い透過率に設定される。目標透過率が更新されると、可変ＮＤフィルターが駆動され、可変ＮＤフィルターの透過率が更新された目標透過率に切り替えられる。これにより、電源投入時からファインダー内の表示の視認性を良好に確保できる。また、電源オフ中の電力消費も抑制できる。【００１２】
（２）撮像準備動作を検出する撮像準備動作検出部と、電源オフ中に撮像準備動作検出部が撮像準備動作を検出した場合に、外光を測光する測光部と、を更に備え、目標透過率更新部は、電源オフ中に撮像準備動作検出部が撮像準備動作を検出すると、測光部の測光結果を取得し、目標透過率を測光部の測光結果に応じた透過率に更新する、上記（１）の撮像装置。【００１３】
本態様によれば、電源オフ中に撮像準備動作が検出されると、測光部で外光が測光され、その測光結果に基づいて、可変ＮＤフィルターの目標透過率が更新される。これにより、電源投入時により適切な透過率に設定できる。また、撮影準備動作を検出した場合に測光するので、電力消費も抑制できる。【００１４】
ここで、撮像準備動作とは、電源オフの状態から新たに撮像を開始する際に、ユーザーが撮像装置に対して行う動作をいう。たとえば、撮像装置を構える動作などが、これに該当する。【００１５】
（３）電源オフ中に撮像準備動作検出部が撮像準備動作を検出した場合に、目標透過率の更新の可否を判定する目標透過率更新可否判定部を更に備え、目標透過率更新部は、目標透過率の更新が可と判定された場合に、目標透過率を測光部の測光結果に応じた透過率に更新する、上記（２）の撮像装置。【００１６】
本態様によれば、電源オフ中に撮像準備動作が検出された場合に、目標透過率の更新の可否が判定され、可の場合にのみ、目標透過率が更新される。たとえば、撮像装置をケース等に収納している場合には、常に暗い状態が検出される。このため、測光結果に基づいて目標透過率を更新すると、かえって不具合が生じる場合がある。このため、事前に更新の可否を判定し、可の場合にのみ、目標透過率を更新する。これにより、適切に目標透過率を更新できる。【００１７】
（４）目標透過率更新可否判定部は、測光部の測光結果に基づいて、目標透過率の更新の可否を判定する、上記（３）の撮像装置。【００１８】
本態様によれば、測光部の測光結果に基づいて、目標透過率の更新の可否が判定される。たとえば、複数回測光して、同じ測定結果となる場合などには、撮像装置がケース等に収容されている状況が想定されるので、目標透過率の更新を禁止する。このように、測光結果を利用することにより、目標透過率の可否を判定できる。【００１９】
（５）水準器を更に備え、撮像準備動作検出部は、水準器で水平状態又は垂直状態を検出して、撮像準備動作を検出する、上記（２）から（４）のいずれか一の撮像装置。【００２０】
本態様によれば、水準器で水平状態又は垂直状態を検出することにより、撮像準備動作が検出される。すなわち、水平状態又は垂直状態を検出することにより、撮像装置が構えられたことを検出し、撮像準備動作を検出する。通常、ユーザーは、撮像装置を水平又は垂直に構えて撮像する。したがって、撮像装置の水平状態又は垂直状態を検出することにより、撮像装置が構えられたことを検出できる。また、撮像装置が構えられたことを検出することにより、撮像準備動作が行われたことを検出できる。なお、ここでの水平状態には、ほぼ水平とみなせる範囲が含まれる。同様に、垂直状態には、ほぼ垂直とみなせる範囲が含まれる。したがって、水準器で検出する水平状態又は垂直状態には、ほぼ水平状態又はほぼ垂直状態が含まれる。【００２１】
（６）測光部は、イメージセンサーの出力に基づいて外光を測光する、上記（２）から（５）のいずれか一の撮像装置。【００２２】
本態様によれば、測光部が、イメージセンサーの出力に基づいて外光を測光する。すなわち、イメージセンサーが測光用のセンサーを兼用する。これにより、構成を簡素化できる。【００２３】
（７）測光部は、照度センサーで構成される、上記（２）から（５）のいずれか一の撮像装置。【００２４】
本態様によれば、測光部が、照度センサーで構成される。これにより、より適切に外光を測定でき、より適切に目標透過率を設定できる。【００２５】
（８）バッテリー残量を検出するバッテリー残量検出部と、バッテリー残量検出部で検出されるバッテリー残量に応じて、目標透過率更新部及び撮像準備動作検出部の動作を制限する動作制限部と、を更に備えた上記（２）から（７）のいずれか一の撮像装置。【００２６】
本態様によれば、バッテリー残量に応じて、目標透過率更新部及び撮像準備動作検出部の動作が制限される。これにより、バッテリー不足で撮像不能になる不具合を防止できる。動作制限は、段階的に実施される。たとえば、バッテリー残量が第１の残量以下になると、撮像準備動作検出部の動作が停止される。この場合、時刻に合わせた更新のみが行われる。更に、バッテリー残量が第１の残量よりも少ない第２の残量以下になると、目標透過率更新部の動作が停止される。この場合、電源オフ中の更新処理は行われなくなる。【００２７】
（９）光学ファインダーは、撮像レンズとは独立した光学系で構成され、ファインダー窓部を介して入射する被写体の光学像を接眼部から観察する、上記（１）から（８）のいずれか一の撮像装置。【００２８】
本態様によれば、光学ファインダーが、撮像レンズとは独立した光学系で構成される。すなわち、レフレックスファインダー（撮像レンズを通った光をミラーで反射させて、フォーカシングスクリーン上に結像させ、そのフォーカシングスクリーン上の像を観察する方式のファインダー）ではなく、虚像又は透視実像を観察する方式のビューファインダーで構成される。ビューファインダーは、外光の影響を受けやすい。したがって、本発明をビューファインダーに適用することにより、特に有効に作用する。【００２９】
（１０）可変ＮＤフィルターが、ファインダー窓部に備えられる、上記（９）の撮像装置。【００３０】
本態様によれば、可変ＮＤフィルターが、ビューファインダーのファインダー窓部に備えられる。これにより、光学ファインダーに入射する光の光量を適切に調整できる。【００３１】
（１１）可変ＮＤフィルターが、エレクトロクロミック素子で構成される、上記（１）から（１０）のいずれか一の撮像装置。【００３２】
本態様によれば、可変ＮＤフィルターが、エレクトロクロミック素子（ＥＣ（electrochromic）素子）で構成される。エレクトロクロミック素子は、電圧印加による電気化学的酸化還元反応によって、物質の色が可逆的に変化するエレクトロクロミック現象を応用した光学素子である。エレクトロクロミック素子は、化学反応を利用しているため、動作速度が遅いという特性を有する。したがって、本発明を適用することにより、特に有効に作用する。【００３３】
（１２）被写体の光学像を観察する光学ファインダーと、表示デバイスと、光学ファインダーの光路中に配置され、光学ファインダーで観察される被写体の光学像に表示デバイスの表示を重畳させる重畳光学素子と、光学ファインダーの光路中に配置され、重畳光学素子に入射する被写体の光学像の光量を調整する可変ＮＤフィルターと、を備えた撮像装置のファインダー内表示制御方法であって、撮像装置の電源オフ中、時刻の情報を取得し、時間帯ごとに定められた透過率の情報に基づいて、可変ＮＤフィルターの目標透過率を更新するステップと、目標透過率が更新された場合に可変ＮＤフィルターを駆動して、可変ＮＤフィルターの透過率を目標透過率に変化させるステップと、を含む撮像装置のファインダー内表示制御方法。【００３４】
本態様によれば、撮像装置の電源がオフされると、時刻に応じて、可変ＮＤフィルターの目標透過率が自動的に更新される。これにより、電源投入時からファインダー内の表示の視認性を良好に確保できる。また、電源オフ中の電力消費も抑制できる。【００３５】
（１３）撮像装置の電源オフ中に撮像準備動作を検出するステップと、撮像準備動作が検出された場合に、外光を測光するステップと、外光の測光結果を取得し、目標透過率を測光結果に応じた透過率に更新するステップと、を更に含む上記（１２）の撮像装置のファインダー内表示制御方法。【００３６】
本態様によれば、電源オフ中に撮像準備動作が検出されると、測光部で外光が測光され、その測光結果に基づいて、可変ＮＤフィルターの目標透過率が更新される。これにより、電源投入時により適切な透過率に設定できる。また、撮影準備動作を検出した場合に測光するので、電力消費も抑制できる。【００３７】
（１４）撮像準備動作が検出された場合に、目標透過率の更新の可否を判定するステップを更に含み、目標透過率の更新が可と判定された場合に、目標透過率を外光の測光結果に応じた透過率に更新する、上記（１３）の撮像装置のファインダー内表示制御方法。【００３８】
本態様によれば、電源オフ中に撮像準備動作が検出された場合に、目標透過率の更新の可否が判定され、可の場合にのみ、目標透過率が更新される。これにより、適切に目標透過率を更新できる。【００３９】
（１５）外光の測光結果に基づいて、目標透過率の更新の可否を判定するステップを更に含む、上記（１４）の撮像装置のファインダー内表示制御方法。【００４０】
本態様によれば、測光部の測光結果に基づいて、目標透過率の更新の可否が判定される。【００４１】
（１６）被写体の光学像を観察する光学ファインダーと、表示デバイスと、光学ファインダーの光路中に配置され、光学ファインダーで観察される被写体の光学像に表示デバイスの表示を重畳させる重畳光学素子と、光学ファインダーの光路中に配置され、重畳光学素子に入射する被写体の光学像の光量を調整する可変ＮＤフィルターと、を備えた撮像装置のファインダー内表示制御プログラムであって、撮像装置の電源オフ中、時刻の情報を取得し、時間帯ごとに定められた透過率の情報に基づいて、可変ＮＤフィルターの目標透過率を更新する機能と、目標透過率が更新された場合に可変ＮＤフィルターを駆動して、可変ＮＤフィルターの透過率を目標透過率に変化させる機能と、をコンピュータに実現させる、撮像装置のファインダー内表示制御プログラム。【００４２】
本態様によれば、撮像装置の電源がオフされると、時刻に応じて、可変ＮＤフィルターの目標透過率が自動的に更新される。これにより、電源投入時からファインダー内の表示の視認性を良好に確保できる。また、電源オフ中の電力消費も抑制できる。【００４３】
（１７）撮像装置の電源オフ中に撮像準備動作が検出された場合に、外光の測光結果を取得し、目標透過率を測光結果に応じた透過率に更新する機能を更に含む、上記（１６）の撮像装置のファインダー内表示制御プログラム。【００４４】
本態様によれば、電源オフ中に撮像準備動作が検出されると、測光部で外光が測光され、その測光結果に基づいて、可変ＮＤフィルターの目標透過率が更新される。これにより、電源投入時により適切な透過率に設定できる。また、撮影準備動作を検出した場合に測光するので、電力消費も抑制できる。【００４５】
（１８）撮像準備動作が検出された場合に、目標透過率の更新の可否を判定する機能を更に含み、目標透過率の更新が可と判定された場合に、目標透過率を外光の測光結果に応じた透過率に更新する、上記（１７）の撮像装置のファインダー内表示制御プログラム。【００４６】
本態様によれば、電源オフ中に撮像準備動作が検出された場合に、目標透過率の更新の可否が判定され、可の場合にのみ、目標透過率が更新される。これにより、適切に目標透過率を更新できる。【００４７】
（１９）外光の測光結果に基づいて、目標透過率の更新の可否を判定する、上記（１８）の撮像装置のファインダー内表示制御プログラム。【００４８】
本態様によれば、測光部の測光結果に基づいて、目標透過率の更新の可否が判定される。
【発明の効果】
【００４９】
本発明によれば、電源投入時から良好なファインダーの視認性を確保できる。
【図面の簡単な説明】
【００５０】
【図１】デジタルカメラの一実施形態を示す正面図
【図２】図１に示すデジタルカメラの背面斜視図
【図３】ビューファインダーの構成を示す平面断面図
【図４】ＯＶＦの重畳表示の概念図
【図５】ＯＶＦとＥＶＦの切り替えの概念図
【図６】デジタルカメラの電気的な概略構成
【図７】カメラ制御部が実現する主な機能のブロック図
【図８】ビューファインダー制御部が実現する機能のブロック図
【図９】被写体の明るさ（被写体輝度）とファインダーＬＣＤの光量との関係を示すグラフ
【図１０】電源オフ中の可変ＮＤフィルターの目標透過率の更新処理の手順を示すフローチャート
【図１１】第２の実施の形態のデジタルカメラのビューファインダー制御部が実現する機能のブロック図
【図１２】電源オフ中の可変ＮＤフィルターの目標透過率の更新処理の手順を示すフローチャート
【図１３】電源オフ中の可変ＮＤフィルターの目標透過率の更新処理の手順を示すフローチャート
【図１４】第３の実施の形態のデジタルカメラのビューファインダー制御部が実現する機能のブロック図
【図１５】電源オフ中の可変ＮＤフィルターの目標透過率の更新処理の手順を示すフローチャート
【図１６】バッテリー残量に応じて目標透過率の更新処理の実施レベルを切り替えるシステムのブロック図
【図１７】測光部の他の一例を示す概略構成図
【図１８】本発明が適用された一眼レフカメラの一例を示す概略構成図
【発明を実施するための形態】
【００５１】
以下、添付図面に従って本発明を実施するための好ましい形態について詳説する。
【００５２】
◆◆第１の実施の形態◆◆
［外観構成］
図１は、本発明が適用されたデジタルカメラの一実施形態を示す正面図である。図２は、図１に示すデジタルカメラの背面斜視図である。
【００５３】
このデジタルカメラ１は、撮像レンズ３がカメラボディー２に一体的に組み付けられたレンズ一体型のデジタルカメラである。デジタルカメラ１は、撮像装置の一例である。
【００５４】
図１及び図２に示すように、デジタルカメラ１は、そのカメラボディー２に撮像レンズ３、ビューファインダー３０及び背面モニター４等を備える。また、デジタルカメラ１は、そのカメラボディー２に、操作部材として、電源レバー１１、シャッターボタン１２、露出補正ダイヤル１３、シャッタースピードダイヤル１４、ファインダー切替レバー１５、コマンドダイヤル１６、ビューモードボタン１７、再生ボタン１８、消去ボタン１９、ファンクションボタン２０、ＡＥ／ＡＦロックボタン２１、セレクターボタン２２、ＯＫボタン２３、メニューボタン２４及びＤＩＳＰ／ＢＡＣＫボタン２５等を備える。
【００５５】
カメラボディー２は、全体として平たい矩形の箱形状を有し、横方向の一端に把持部としてのグリップ２ａを有する。
【００５６】
撮像レンズ３は、カメラボディー２の正面に備えられる。撮像レンズ３は、焦点調節機能を備えた単焦点レンズで構成される。
【００５７】
ビューファインダー３０は、光学ビューファインダー（ＯＶＦ：Optical View Finder）及び電子ビューファインダー（ＥＶＦ：Electronic View Finder）の双方を切り替えて使用可能なハイブリッドビューファインダー（ＨＶＦ：Hybrid View Finder）で構成される。カメラボディー２の正面には、ビューファインダー３０のファインダー窓部３０ａが備えられ、背面にはビューファインダー３０のファインダー接眼部３０ｂが備えられる。ビューファインダー３０の詳細については後述する。
【００５８】
背面モニター４は、カメラボディー２の背面に備えられる。背面モニター４は、たとえば、液晶ディスプレイ（ＬＣＤ： Liquid Crystal Display) で構成される。
【００５９】
電源レバー１１は、デジタルカメラ１の電源をオン、オフするレバーである。電源レバー１１は、カメラボディー２の上面に備えられる。電源レバー１１は、シャッターボタン１２を中心に揺動して、オン位置とオフ位置との間を選択的に移動する。電源レバー１１をオン位置に位置させると、デジタルカメラ１の電源がオンされる。また、電源レバー１１をオフ位置に移動させると、デジタルカメラ１の電源がオフされる。電源レバー１１は、電源操作部の一例である。
【００６０】
シャッターボタン１２は、撮像を指示するボタンである。シャッターボタン１２は、カメラボディー２の上面に備えられる。シャッターボタン１２は、半押し及び全押しが可能な二段ストローク式の押圧ボタンで構成される。シャッターボタン１２を半押しすると、撮像準備が指示される。また、シャッターボタン１２を全押しすると、撮像実行が指示される。
【００６１】
露出補正ダイヤル１３は、露出補正量を設定するダイヤルである。露出補正ダイヤル１３は、カメラボディー２の上面に備えられる。
【００６２】
シャッタースピードダイヤル１４は、シャッタースピードを設定するダイヤルである。シャッタースピードダイヤル１４は、カメラボディー２の上面に備えられる。
【００６３】
ファインダー切替レバー１５は、ビューファインダー３０のモードを切り替えるレバーである。ファインダー切替レバー１５は、カメラボディー２の正面に備えられる。ファインダー切替レバー１５は、揺動操作されて、ビューファインダー３０のモードを切り替える。具体的には、ファインダー切替レバー１５を揺動させるたびに、ビューファインダー３０のＯＶＦとＥＶＦとが交互に切り替わる。
【００６４】
コマンドダイヤル１６は、時計回り及び反時計回りへの回転操作が可能な回転操作部材であり、カメラボディー２の背面に備えられる。コマンドダイヤル１６には、デジタルカメラ１のモードに応じた機能が割り当てられる。たとえば、撮像モードでは、絞りの調整が行われ、再生モードでは、再生中の画像の拡大、縮小が行われる。
【００６５】
ビューモードボタン１７は、ビューファインダー３０による表示と背面モニター４による表示とを切り替えるボタンである。ビューモードボタン１７は、カメラボディー２の背面に備えられる。ビューモードボタン１７を押すたびに、ビューファインダー３０による表示と背面モニター４による表示とが交互に切り替わる。ビューファインダー３０による表示が選択された場合、背面モニター４による表示はオフされる。一方、背面モニター４による表示が選択された場合、ビューファインダー３０による表示はオフとされる。
【００６６】
再生ボタン１８は、撮像モードから再生モードへの切り替えを指示するボタンである。再生ボタン１８は、カメラボディー２の背面に備えられる。撮像モードに設定されている状態で再生ボタン１８を押すと、デジタルカメラ１のモードが再生モードに切り替えられる。なお、再生モードに設定されている状態でシャッターボタン１２を押すと、デジタルカメラ１のモードが撮像モードに切り替えられる。
【００６７】
消去ボタン１９は、再生中の画像の消去を指示するボタンである。消去ボタン１９は、カメラボディー２の背面に備えられる。
【００６８】
ファンクションボタン２０は、あらかじめ割り当てられた機能を動作させるボタンである。ファンクションボタン２０は、カメラボディー２の背面に備えられる。
【００６９】
ＡＥ／ＡＦロックボタン２１は、ＡＥ（Automatic Exposure）及びＡＦ（Auto Focus）のロックを指示するボタンである。ＡＥ／ＡＦロックボタン２１は、カメラボディー２の背面に備えられる。ＡＥ／ＡＦロックボタン２１が押されている間、ＡＥ及びＡＦがロックされる。
【００７０】
セレクターボタン２２は、上、下、左、右の４つの方向に押圧操作が可能なボタンである。セレクターボタン２２は、カメラボディー２の背面に備えられる。セレクターボタン２２の各方向には、デジタルカメラ１の状態に応じた機能が割り当てられる。たとえば、背面モニター４を用いて各種設定を行う際には、画面上に表示されたカーソルを移動させる機能が割り当てられる。また、再生モードでは、左右のボタンにコマ送り、コマ戻しの機能が割り当てられる。
【００７１】
ＯＫボタン２３は、各種設定等を行う際にＯＫを指示するボタンである。ＯＫボタン２３は、セレクターボタン２２の中央に配置される。
【００７２】
メニューボタン２４は、メニュー画面の呼び出しを指示するボタンである。メニューボタン２４は、カメラボディー２の背面に備えられる。メニューボタン２４を押すと、背面モニター４に各種設定を行うためのメニュー画面が表示される。
【００７３】
ＤＩＳＰ／ＢＡＣＫボタン２５は、背面モニター４及びビューファインダー３０に表示されている内容の切り替えを指示するボタン（ＤＩＳＰボタンとしての機能）である。また、ＤＩＳＰ／ＢＡＣＫボタン２５は、各種設定等を行う際にデジタルカメラ１の状態を１つ前の状態に戻すことを指示するボタン（ＢＡＣＫボタンとしての機能）である。ＤＩＳＰ／ＢＡＣＫボタン２５は、カメラボディー２の背面に備えられる。ＤＩＳＰボタンとしての機能とＢＡＣＫボタンとしての機能は、デジタルカメラ１の状態に応じて自動的に切り替えられる。
【００７４】
［ビューファインダー］
《ビューファインダーの構成》
図３は、ビューファインダーの構成を示す平面断面図である。
【００７５】
同図に示すように、ビューファインダー３０は、観察光学系３２、ビームスプリッター３４、ファインダーＬＣＤ３６、ターゲットレンズ３８、可変ＮＤフィルター４０、ファインダーシャッター４２及びカバーガラス４４を備える。
【００７６】
〈観察光学系〉
観察光学系３２は、被写体の光学像を観察する光学系であり、撮像レンズ３とは独立した光学系で構成される。観察光学系３２は、逆ガリレオ式ファインダーの観察光学系で構成され、負の屈折力を有する対物レンズ３２ａ及び正の屈折力を有する接眼レンズ３２ｂを備える。ビューファインダー３０のファインダー窓部３０ａ及びファインダー接眼部３０ｂは、観察光学系３２の光軸Ｌｏ上に配置される。
【００７７】
〈ビームスプリッター〉
ビームスプリッター３４は、２個の直角プリズムを接合したプリズム型のビームスプリッターで構成され、その内部の斜面に半透膜３４ａを有する。半透膜３４ａは、ビームスプリッター３４の入射面に垂直に入射した光を透過光と反射光に分割する。ビームスプリッター３４は、重畳光学素子の一例である。ビームスプリッター３４は、観察光学系３２の光軸Ｌｏ上に配置され、対物レンズ３２ａと接眼レンズ３２ｂの間に配置される。
【００７８】
〈ファインダーＬＣＤ〉
ファインダーＬＣＤ（Liquid Crystal Display）３６は、ビューファインダー３０をＯＶＦとして使用する際に、観察光学系３２で観察される被写体の光学像に重畳させる情報を表示する。また、ファインダーＬＣＤ３６は、ビューファインダー３０をＥＶＦとして使用する際に、イメージセンサー５２（図６参照）が捉えた画像をリアルタイムに表示する。ファインダーＬＣＤ３６は、表示デバイスの一例である。ファインダーＬＣＤ３６は、たとえば、バックライトを備えた透過型のＬＣＤで構成される。ファインダーＬＣＤ３６は、光軸Ｌｄ上に配置される。光軸Ｌｄは、ビームスプリッター３４の半透膜３４ａを通り、観察光学系３２の光軸Ｌｏと直交する光軸である。
【００７９】
〈ターゲットレンズ〉
ターゲットレンズ３８は、ファインダーＬＣＤ３６とビームスプリッター３４の間の光路に配置され、ファインダーＬＣＤ３６からの光を接眼レンズ３２ｂに導く。
【００８０】
〈可変ＮＤフィルター〉
可変ＮＤフィルター（ＮＤ：Neutral Density）４０は、ファインダー窓部３０ａに備えられ、その透過率（濃度）を変化させることにより、観察光学系３２に入射する光の光量を調整する。
【００８１】
本実施の形態のデジタルカメラ１では、可変ＮＤフィルター４０が電子的可変ＮＤフィルターで構成される。電子的可変ＮＤフィルターは、透過率（濃度）を電子制御できるＮＤフィルターである。特に、本実施の形態のデジタルカメラ１では、電子的可変ＮＤフィルターとして、可変ＮＤフィルター４０が、エレクトロクロミック素子で構成される。
【００８２】
エレクトロクロミック素子（ＥＣ（electrochromic）素子）は、電圧印加による電気化学的酸化還元反応によって、物質の色が可逆的に変化するエレクトロクロミック現象を応用した光学素子である。エレクトロクロミック素子は、化学反応を利用しているため、動作速度が遅いという特性を有する。
【００８３】
〈ファインダーシャッター〉
ファインダーシャッター４２は、ファインダー窓部３０ａを開閉する。ファインダーシャッター４２は、ファインダー窓部３０ａの開口を遮蔽可能なファインダーシャッター地板４２ａと、そのファインダーシャッター地板４２ａを駆動するファインダーシャッター駆動部４２ｂ（図６参照）と、を備える。ファインダーシャッター地板４２ａは、ファインダーシャッター駆動部４２ｂに駆動されて、閉位置（図３に破線で示す位置）と開位置（図３に実線で示す位置）との間をスライド移動し、ファインダー窓部３０ａを開閉する。
【００８４】
ファインダーシャッター地板４２ａが閉位置に移動すると、ファインダー窓部３０ａの開口がファインダーシャッター地板４２ａによって閉じられ、観察光学系３２が遮光される。一方、ファインダーシャッター地板４２ａが開位置に移動すると、ファインダーシャッター地板４２ａが観察光学系３２の光路から退避し、観察光学系３２を介した被写体の光学像の観察が可能になる。
【００８５】
〈カバーガラス〉
カバーガラス４４は、ファインダー接眼部３０ｂに備えられる。カバーガラス４４は、透明なガラス板で構成される。
【００８６】
《ビューファインダーの機能》
以上のように構成されるビューファインダー３０は、ファインダーシャッター４２の開閉により、ＯＶＦ（Optical View Finder／光学ビューファインダー）とＥＶＦ（Electronic View Finder／電子ビューファインダー）とを切り替えて使用できる。
【００８７】
〈ＯＶＦとして使用する場合〉
ＯＶＦとして使用する場合は、ファインダーシャッター４２を開く。ファインダーシャッター４２を開くと、被写体からの光がファインダー窓部３０ａから入射する。ファインダー窓部３０ａから入射した光は、可変ＮＤフィルター４０、対物レンズ３２ａ、ビームスプリッター３４、接眼レンズ３２ｂ、カバーガラス４４を順番に透過し、アイポイントＥＰに入射する。これにより、アイポイントＥＰで被写体の光学像が観察される。
【００８８】
また、ファインダーシャッター４２を開いた状態でファインダーＬＣＤ３６に画像を表示すると、ファインダーＬＣＤ３６からの光が、ターゲットレンズ３８を介してビームスプリッター３４に入射する。ビームスプリッター３４に入射した光は、半透膜３４ａで反射され、接眼レンズ３２ｂを介してアイポイントＥＰに入射する。これにより、アイポイントＥＰにおいて、ファインダーＬＣＤ３６の表示が観察光学系３２による被写体の光学像に重畳されて観察される。
【００８９】
図４は、ＯＶＦの重畳表示の概念図である。
【００９０】
図４（Ａ）は、ファインダー接眼部３０ｂから観察光学系３２を介して観察されるＯＶＦの画面である。図４（Ｂ）は、ファインダーＬＣＤ３６の画面である。同図に示す例では、ファインダーＬＣＤ３６に視野枠Ｆ１、ＡＦ枠Ｆ２、撮像情報Ｉ１を表示した例を示している。視野枠Ｆ１は、撮影範囲を示す枠である。ＡＦ枠Ｆ２は、ＡＦ（Auto Focus）の際に焦点合わせする領域を示す枠である。撮像情報Ｉ１には、撮像モード、露出モード、シャッタースピード、絞り値、露出補正量、感度、撮像可能枚数、電池残量等が含まれる。撮像情報Ｉ１は視野枠Ｆ１の周囲の余白部に表示される。図４（Ｃ）は、ファインダーＬＣＤ３６の表示が重畳されたＯＶＦの画面である。図４（Ｃ）に示すように、ファインダーシャッター４２を開いた状態でファインダーＬＣＤ３６に画像を表示すると、ファインダーＬＣＤ３６に表示した画像がＯＶＦの画面に映し出される。ファインダーＬＣＤ３６の表示をオフした場合は、図４（Ａ）に示すように、光学像のみが観察される。
【００９１】
〈ＥＶＦとして使用する場合〉
ビューファインダー３０をＥＶＦとして使用する場合は、ファインダーシャッター４２を閉じる。ファインダーシャッター４２を閉じた状態でファインダーＬＣＤ３６に画像を表示すると、ファインダーＬＣＤ３６の表示のみがアイポイントＥＰで観察される。したがって、ファインダーシャッター４２を閉じて、イメージセンサー５２で捉えた画像をファインダーＬＣＤ３６にリアルタイムに表示させれば、ビューファインダー３０をＥＶＦとして使用できる。
【００９２】
〈ＯＶＦとＥＶＦの切り替え〉
図５は、ＯＶＦとＥＶＦの切り替えの概念図である。
【００９３】
図５（Ａ）は、ＯＶＦの画面であり、図５（Ｂ）は、ＥＶＦの画面である。ＯＶＦとＥＶＦとの切り替えは、ファインダー切替レバー１５で行われ、ファインダー切替レバー１５を揺動させるたびに、ＯＶＦとＥＶＦとが交互に切り替えられる。
【００９４】
［デジタルカメラの電気的構成］
図６は、デジタルカメラの電気的な概略構成を示す図である。
【００９５】
同図に示すように、デジタルカメラ１は、撮像レンズ３、レンズ駆動部５０、イメージセンサー５２、イメージセンサー駆動部５４、アナログ信号処理部５６、アナログデジタル変換器（ＡＤＣ：Analog-to-digital converter）５８、デジタル信号処理部６０、ＡＦ検出部６２、測光部６４、メモリーカードインターフェース部（Ｉ／Ｆ：interface）６６、メモリーカード６８、背面モニター４、背面モニタードライバー７０、通信インターフェース部（Ｉ／Ｆ：interface）７２、ＥＥＰＲＯＭ（Electrically Erasable Programmable Read-only Memory）７４、操作部７６、センサー部７８、計時部８０、ファインダーシャッター４２、ファインダーＬＣＤ３６、ファインダーＬＣＤドライバー８２、可変ＮＤフィルター４０、可変ＮＤフィルタードライバー８４、電源部８６、及び、カメラ制御部１００等を備える。
【００９６】
《撮像レンズ及びレンズ駆動部》
撮像レンズ３は、複数枚のレンズを組み合わせて構成される。撮像レンズ３は、焦点調節機構を有し、その一部のレンズ（フォーカスレンズ）３ｆを光軸Ｚに沿って前後移動させることにより、焦点調節される。また、撮像レンズ３は、絞り３ｉを備え、その絞り３ｉの開口量を調整することにより、光量が調整される。絞り３ｉは、たとえばアイリス絞りで構成される。
【００９７】
レンズ駆動部５０は、フォーカスレンズ３ｆを駆動するフォーカスレンズ駆動部５０ｆ、及び、絞り３ｉを駆動する絞り駆動部５０ｉを備える。
【００９８】
フォーカスレンズ駆動部５０ｆは、フォーカスレンズ３ｆを光軸Ｚに沿って前後移動させる。フォーカスレンズ駆動部５０ｆは、モータ等のアクチュエータ及びその駆動回路を備える。フォーカスレンズ駆動部５０ｆは、カメラ制御部１００に制御される。カメラ制御部１００は、フォーカスレンズ駆動部５０ｆを制御して、フォーカスレンズ３ｆの移動を制御する。
【００９９】
絞り駆動部５０ｉは、絞り３ｉの開口部を拡縮させる。絞り駆動部５０ｉは、モータ等のアクチュエータ及びその駆動回路を備える。絞り駆動部５０ｉは、カメラ制御部１００に制御される。カメラ制御部１００は、絞り駆動部５０ｉを制御して、絞り３ｉの開口量を制御する。
【０１００】
《イメージセンサー及びイメージセンサー駆動部》
イメージセンサー５２は、撮像レンズ３を介して被写体を撮像する。イメージセンサー５２は、たとえば、ＣＣＤ（Charged Coupled Device）、ＣＭＯＳ（Complementary Metal Oxide Semiconductor）等の固体撮像素子で構成される。
【０１０１】
イメージセンサー駆動部５４は、イメージセンサー５２を駆動し、イメージセンサー５２に画像を撮像させる。イメージセンサー駆動部５４は、カメラ制御部１００に制御される。カメラ制御部１００は、イメージセンサー駆動部５４を制御して、イメージセンサー５２による撮像を制御する。
【０１０２】
《アナログ信号処理部及びアナログデジタル変換器》
アナログ信号処理部５６は、イメージセンサー５２から出力される画素ごとのアナログの画像信号を取り込み、相関二重サンプリング処理、増幅処理等の所定の信号処理を施す。
【０１０３】
アナログデジタル変換器（ＡＤＣ）５８は、アナログ信号処理部５６から出力されるアナログの画像信号をデジタルの画像信号に変換して出力する。
【０１０４】
《デジタル信号処理部》
デジタル信号処理部６０は、アナログデジタル変換器５８から出力されるデジタルの画像信号を取り込み、階調変換処理、ホワイトバランス補正処理、ガンマ補正処理、同時化処理、ＹＣ変換処理等の所定の信号処理を施して、画像データを生成する。
【０１０５】
《ＡＦ検出部》
ＡＦ検出部６２は、アナログデジタル変換器５８から出力されるデジタルの画像信号を取り込み、コントラスト方式でのＡＦ（Auto Focus）制御に必要な焦点評価値の情報を算出する。
【０１０６】
《測光部》
測光部６４は、アナログデジタル変換器５８から出力されるデジタルの画像信号を取り込み、被写体の明るさ（輝度）を検出する。
【０１０７】
《メモリーカードインターフェース部及びメモリーカード》
メモリーカードインターフェース部６６は、カードスロットに装着されたメモリーカード６８に対してデータを読み書きする。
【０１０８】
《背面モニター及び背面モニタードライバー》
背面モニター４は、撮像された画像の再生に使用されるほか、各種設定時に設定画面として利用される。また、背面モニター４は、ユーザーの選択により、ライブビューモニターとして使用される。すなわち、ビューモードボタン１７によって背面モニター４の使用が選択された場合、イメージセンサー５２で捉えた画像が背面モニター４にリアルタイムに表示される。これにより、背面モニター４がライブビューモニターとして使用される。
【０１０９】
背面モニター４の表示は、カメラ制御部１００で制御される。カメラ制御部１００は、背面モニタードライバー７０を介して、背面モニター４の表示を制御する。
【０１１０】
《通信インターフェース部》
通信インターフェース部７２は、規定の通信形式で外部機器と通信する。通信は、カメラ制御部１００によって制御される。
【０１１１】
《ＥＥＰＲＯＭ》
ＥＥＰＲＯＭ７４は、追記が可能な不揮発性メモリーであり、デジタルカメラ１の制御等に必要なデータが記録される。ＥＥＰＲＯＭ７４は、撮像予定画像情報記憶部の一例であり、撮像予定地の情報及び撮像予定情報が記憶される。
【０１１２】
《操作部》
操作部７６は、カメラボディー２に備えられた各操作部材（電源レバー１１、シャッターボタン１２、露出補正ダイヤル１３、シャッタースピードダイヤル１４、ファインダー切替レバー１５、コマンドダイヤル１６、ビューモードボタン１７、再生ボタン１８、消去ボタン１９、ファンクションボタン２０、ＡＥ／ＡＦロックボタン２１、セレクターボタン２２、ＯＫボタン２３、メニューボタン２４及びＤＩＳＰ／ＢＡＣＫボタン２５等）の操作に応じた信号をカメラ制御部１００に出力する。
【０１１３】
《センサー部》
センサー部７８は、デジタルカメラ１の動き、現在地等を検出する。センサー部７８は、三軸加速度センサー７８ａ、三軸角速度センサー７８ｂ及び三軸地磁気センサー７８ｃを備える。
【０１１４】
三軸加速度センサー７８ａは、デジタルカメラ１の三軸方向の加速度を検出する。三軸角速度センサー７８ｂは、デジタルカメラ１の三軸周りの角速度を検出する。三軸地磁気センサー７８ｃは、デジタルカメラ１の三軸方向の地磁気を検出して、方位を検出する。
【０１１５】
ここで、三軸（ｘ軸、ｙ軸、ｚ軸）は、イメージセンサー５２の受光面を基準にして、次のように設定される。すなわち、イメージセンサー５２の受光面の中心を通り、かつ、水平な軸をｘ軸、イメージセンサー５２の受光面の中心を通り、かつ、鉛直な軸をｙ軸とする。また、イメージセンサー５２の受光面の中心を通り、かつ、受光面に垂直な軸をｚ軸とする。ｘ軸、ｙ軸及びｚ軸は互いに直交する。
【０１１６】
イメージセンサー５２は、横長のアスペクト比を有し（たとえば、横：縦＝３：２）、その長辺がｘ軸と平行、かつ、短辺がｙ軸と平行に設定される。また、デジタルカメラ１は、そのカメラボディー２の底面がｘ軸と平行に設定される。また、デジタルカメラ１は、その撮像レンズ３の光軸Ｚがｚ軸と一致する。
【０１１７】
三軸加速度センサー７８ａ、三軸角速度センサー７８ｂ及び三軸地磁気センサー７８ｃの出力に基づいて、デジタルカメラ１の撮像方位及び撮像姿勢が求められる。すなわち、イメージセンサー５２の受光面が向いている方位（撮像方位）、及び、水平、鉛直を基準としたイメージセンサー５２の姿勢（撮像姿勢）が求められる。撮像姿勢は、たとえば、水平、鉛直を基準としたイメージセンサー５２のｘ軸周りの回転角度、ｙ軸周りの回転角度、ｚ軸周りの回転角度として特定される。これにより、縦位置での撮像、横位置での撮像、アオリ等の姿勢が特定できる。このように、センサー部７８は、撮像姿勢を検出できることから、水準器として機能する。
【０１１８】
《計時部》
計時部８０は、カレンダー機能及び時計機能を有し、現在日時を計時する。すなわち、現在の年月日及び現在の時刻を計測する。計時部８０で計時される現在日時の情報はカメラ制御部１００に出力される。
【０１１９】
《ファインダーシャッター》
ファインダーシャッター４２は、ファインダーシャッター地板４２ａ、及び、そのファインダーシャッター地板４２ａを駆動するファインダーシャッター駆動部４２ｂを備える。ファインダーシャッター駆動部４２ｂは、モータ等のアクチュエータ及びその駆動回路を備える。ファインダーシャッター駆動部４２ｂは、カメラ制御部１００に制御される。カメラ制御部１００は、ファインダーシャッター駆動部４２ｂを制御して、ファインダーシャッター４２によるファインダー窓部３０ａの開閉を制御する。
【０１２０】
《ファインダーＬＣＤ及びファインダーＬＣＤドライバー》
ファインダーＬＣＤ３６は、その表示がカメラ制御部１００で制御される。カメラ制御部１００は、ファインダーＬＣＤドライバー８２を介して、ファインダーＬＣＤ３６の表示を制御する。
【０１２１】
なお、カメラ制御部１００が行うファインダーＬＣＤ３６の表示の制御には、ファインダーＬＣＤ３６の光量の制御も含まれる。この点については、後述する。
【０１２２】
《可変ＮＤフィルター及び可変ＮＤフィルタードライバー》
可変ＮＤフィルター４０は、その透過率（濃度）が、可変ＮＤフィルタードライバー８４を介して、カメラ制御部１００に制御される。可変ＮＤフィルター４０の透過率は、外光の明るさに応じて切り替えられる。この透過率の切り替えについては後述する。
【０１２３】
《電源部》
電源部８６は、電源としてのバッテリー８６ａと、バッテリー８６ａからの電力を各部に供給する電源供給回路８６ｂと、バッテリー８６ａの残量を検出するバッテリー残量検出回路８６ｃと、を備える。バッテリー残量検出回路８６ｃは、バッテリー残量検出部の一例である。バッテリー残量検出回路８６ｃで検出されたバッテリー残量の情報は、カメラ制御部１００に出力される。
【０１２４】
《カメラ制御部》
カメラ制御部１００は、デジタルカメラ１の全体の動作を統括制御する制御部である。カメラ制御部１００は、たとえば、ＣＰＵ（Central Processing Unit／中央処理装置）、ＲＡＭ（Random Access Memory）及びＲＯＭ（Read Only Memory）を備えたマイクロコンピュータで構成され、所定のプログラム（ファインダー内表示制御プログラム等）を実行することにより、各種機能を実現する。上記所定のプログラム（ファインダー内表示制御プログラム等）が格納される媒体は、ハードディスク、ＣＤ（Compact Disk）、ＤＶＤ（Digital Versatile Disk）、各種半導体メモリ等の、非一時的かつコンピュータ読取可能な記録媒体であってもよい。
【０１２５】
図７は、カメラ制御部が実現する主な機能のブロック図である。
【０１２６】
同図に示すように、カメラ制御部１００は、ＡＦ制御部１００ａ、ＡＥ制御部１００ｂ、記録制御部１００ｃ、通信制御部１００ｄ、背面モニター表示制御部１００ｅ、電源制御部１００ｆ及びビューファインダー制御部１１０等として機能する。
【０１２７】
〈ＡＦ制御部〉
ＡＦ制御部１００ａは、ＡＦ検出部６２の検出結果に基づいて、コントラスト方式のＡＦ（Auto Focus）制御を実施する。ＡＦ制御部１００ａは、フォーカスレンズ３ｆを至近端から無限遠端に移動させて、焦点評価値が最大となる位置を検出し、検出した位置にフォーカスレンズ３ｆを移動させる。
【０１２８】
〈ＡＥ制御部〉
ＡＥ制御部１００ｂは、測光部６４の測光結果に基づいて、適正露出を得るためのＡＥ（Automatic Exposure）制御を実施する。ＡＥ制御部１００ｂは、測光部６４の測光結果に基づいて、EV値（Exposure Value）を算出する。ＡＥ制御部１００ｂは、算出したＥＶ値に基づいて、絞り値及びシャッタースピードを決定する。ＡＥ制御部１００ｂは、決定した絞り値となるように、絞り駆動部５０ｉを介して、絞り３ｉを制御する。また、ＡＥ制御部１００ｂは、決定したシャッタースピードとなるように、イメージセンサー駆動部５４を介して、イメージセンサー５２を制御する。すなわち、決定したシャッタースピードで露光されるように、イメージセンサー５２の露光時間を制御する。
【０１２９】
〈記録制御部〉
記録制御部１００ｃは、メモリーカードインターフェース部６６を介して、メモリーカード６８へのデータの書き込み及び読み出しを制御する。撮像により得られた画像データは、メモリーカードインターフェース部６６を介して、メモリーカード６８に記録される。また、メモリーカード６８に記録された画像データは、メモリーカードインターフェース部６６を介して、メモリーカード６８から読み出される。
【０１３０】
〈通信制御部〉
通信制御部１００ｄは、通信インターフェース部７２を介して、外部機器との通信を制御する。
【０１３１】
〈背面モニター表示制御部〉
背面モニター表示制御部１００ｅは、背面モニター４への表示を制御する。上記のように、背面モニター４は、撮像された画像の再生に使用されるほか、各種設定時に設定画面として利用される。また、背面モニター４は、ユーザーの選択により、ライブビューモニターとして使用される。背面モニター表示制御部１００ｅは、背面モニタードライバー７０を介して、背面モニター４の表示を制御する。
【０１３２】
〈電源制御部〉
電源制御部１００ｆは、電源部８６を介して、各部への電源の供給を制御する。具体的には、電源部８６に備えられた電源供給回路８６ｂ（図７参照）を制御して、各部への電源の供給を制御する。また、電源部８６に備えられたバッテリー残量検出回路８６ｃ（図７参照）からバッテリー残量の情報を取得する。
【０１３３】
〈ビューファインダー制御部〉
ビューファインダー制御部１１０は、ビューファインダー３０を制御する。
【０１３４】
図８は、ビューファインダー制御部が実現する機能のブロック図である。
【０１３５】
ビューファインダー制御部１１０は、ファインダーシャッター制御部１１０ａ、ファインダーＬＣＤ表示制御部１１０ｂ、目標透過率更新部１１０ｃ及び可変ＮＤフィルター制御部１１０ｄ等の機能を実現する。
【０１３６】
〔ファインダーシャッター制御部〕
ファインダーシャッター制御部１１０ａは、ファインダー切替レバー１５によるＯＶＦとＥＶＦの切り替え操作に基づいて、ファインダーシャッター４２の開閉を制御する。ファインダーシャッター制御部１１０ａは、ファインダー切替レバー１５によって、ＯＶＦが選択されると、ファインダーシャッター４２を開き、ＥＶＦが選択されると、ファインダーシャッター４２を閉じる。ファインダーシャッター制御部１１０ａは、ファインダーシャッター駆動部４２ｂを介して、ファインダーシャッター４２の開閉を制御する。
【０１３７】
〔ファインダーＬＣＤ表示制御部〕
ファインダーＬＣＤ表示制御部１１０ｂは、ファインダーＬＣＤ３６の表示を制御する。ＯＶＦが選択された場合、ファインダーＬＣＤ表示制御部１１０ｂは、視野枠、ＡＦ枠、撮像情報等の情報をファインダーＬＣＤ３６に表示させる（図５（Ａ）参照）。一方、ＥＶＦが選択された場合、ファインダーＬＣＤ表示制御部１１０ｂは、イメージセンサー５２で捉えた画像をリアルタイムにファインダーＬＣＤ３６に表示させる（図５（Ｂ）参照）。
【０１３８】
また、ファインダーＬＣＤ表示制御部１１０ｂは、測光部６４による測光結果に基づいて、ファインダーＬＣＤ３６の光量を制御する。すなわち、被写体の明るさ（輝度）に応じて、ファインダーＬＣＤ３６の光量を制御する。
【０１３９】
ファインダーＬＣＤ表示制御部１１０ｂは、ファインダーＬＣＤ３６に備えられたバックライトの駆動を制御して、ファインダーＬＣＤ３６の光量を制御する。たとえば、バックライトの印加電圧をＰＷＭ（Pulse Width Modulation）駆動して、ファインダーＬＣＤ３６の光量を制御する。
【０１４０】
図９は、被写体の明るさ（被写体輝度）とファインダーＬＣＤの光量との関係を示すグラフである。
【０１４１】
同図に示すように、ファインダーＬＣＤ表示制御部１１０ｂは、測光部６４による測光結果（被写体輝度）に基づいて、ファインダーＬＣＤ３６の光量を制御する。より具体的には、バックライトの駆動を制御する。
【０１４２】
このように、被写体の明るさに応じてファインダーＬＣＤ３６の光量を制御することにより、明るい環境から暗い環境まで常にファインダー内の表示の視認性を良好に維持できる。
【０１４３】
〔目標透過率更新部〕
目標透過率更新部１１０ｃは、可変ＮＤフィルター４０の目標透過率を更新する処理を行う。可変ＮＤフィルター４０の目標透過率は、可変ＮＤフィルター４０が現時点で有すべき透過率として定められる。したがって、目標透過率が更新された場合には、その更新された目標透過率に合わせて、可変ＮＤフィルター４０の透過率が変更される。
【０１４４】
目標透過率更新部１１０ｃは、デジタルカメラ１の電源の状態に応じて、異なる更新処理を行う。すなわち、デジタルカメラ１の電源がオンの場合とオフの場合とで異なる更新処理を行う。
【０１４５】
（Ａ）デジタルカメラの電源がオンの場合の目標透過率の更新処理
デジタルカメラ１の電源がオンの場合、目標透過率更新部１１０ｃは、測光部６４による測光結果に基づいて、可変ＮＤフィルター４０の目標透過率を更新する。具体的には、測光部６４で測光される被写体の明るさ（輝度）が、あらかじめ定められた閾値ＢＴ未満の場合、可変ＮＤフィルター４０の透過率を第１の透過率τ１とし、閾値ＢＴ以上の場合、可変ＮＤフィルター４０の透過率を第２の透過率τ２とする。第２の透過率τ２は、第１の透過率τ１よりも低い値である（τ１＞τ２）。たとえば、第１の透過率τ１は１００％、第２の透過率τ２は８０％である。
【０１４６】
このように、デジタルカメラ１の電源がオンの場合、測光部６４による測光結果に基づいて、可変ＮＤフィルター４０の目標透過率が更新される。この結果、周囲環境が一定の明るさ以上になると、自動的に可変ＮＤフィルター４０の透過率が下げられる。これにより、明るい環境でＯＶＦを使用する場合にファインダーＬＣＤ３６の表示の視認性を向上できる。また、明るい環境から暗い環境に戻ると、自動的に可変ＮＤフィルター４０の透過率が上げられる。ＯＶＦで明るい光学像を観察できる。
【０１４７】
閾値ＢＴは、ファインダー内の表示の視認性を考慮して設定される。被写体の明るさに応じてファインダーＬＣＤ３６の光量を制御する場合、ファインダーＬＣＤ３６の光量は、ある明るさ（輝度）で上限に達する。すなわち、それ以上の光量にすることが不能になる。閾値ＢＴは、ファインダーＬＣＤ３６の光量が上限に達した際の被写体の明るさの値に設定される（図９参照）。
【０１４８】
（Ｂ）デジタルカメラの電源がオフの場合の目標透過率の更新処理
デジタルカメラ１の電源がオフの場合、目標透過率更新部１１０ｃは、電源オフから一定時間経過後に、時刻に合わせて目標透過率を更新する。すなわち、時間帯ごとに定められた透過率に基づいて、可変ＮＤフィルター４０の目標透過率を更新する。なお、電源オフから一定時間は、更新禁止期間とされる。更新禁止期間は、あらかじめ規定される。
【０１４９】
本実施の形態のデジタルカメラ１では、日中の時間帯と夜間の時間帯で分けられ、それぞれの時間帯で設定すべき透過率が定められる。日中の時間帯は６：００〜１７：５９である。夜間の時間帯は１８：００〜５：５９である。日中の時間帯において、設定すべき透過率は第２の透過率τ２である。夜間の時間帯において、設定すべき透過率は第１の透過率τ１である。上記のように、第２の透過率τ２は、第１の透過率τ１よりも低い値である（τ１＞τ２）。日中の時間帯は、周囲環境が明るいと推定できるので、透過率を低く設定する。一方、夜間の時間帯は、周囲環境が暗いと推定できるので、透過率を高く設定する。
【０１５０】
目標透過率更新部１１０ｃは、電源オフ中、計時部８０から現在の時刻の情報を取得し、時間帯ごとに定められた透過率の情報に基づいて、可変ＮＤフィルター４０の目標透過率を更新する。これにより、電源投入時からファインダー内の表示の視認性を良好に確保できる。たとえば、日中の時間帯でデジタルカメラ１の使用を開始した場合には、既に可変ＮＤフィルター４０の透過率が下げられているので、明るい環境で使用する場合であっても、使用開始から良好な視認性を確保できる。また、たとえば、夜間の時間帯でデジタルカメラ１の使用を開始した場合には、既に可変ＮＤフィルター４０の透過率が上げられているので、明るい光学像を観察できる。
【０１５１】
〔可変ＮＤフィルター制御部〕
可変ＮＤフィルター制御部１１０ｄは、可変ＮＤフィルタードライバー８４を介して、可変ＮＤフィルター４０の透過率の切り替えを制御する。可変ＮＤフィルター制御部１１０ｄは、目標透過率が更新されると、可変ＮＤフィルターの透過率を更新された目標透過率に変化させる。
【０１５２】
［デジタルカメラの作用］
デジタルカメラ１は、画像を撮像する機能及び画像を再生する機能を有する。画像を撮像する機能は、デジタルカメラ１のモードを撮像モードに設定することにより有効にされる。一方、画像を再生する機能は、デジタルカメラ１のモードを再生モードに設定することにより有効にされる。デジタルカメラ１は、電源を投入すると、撮像モードで起動する。また、デジタルカメラ１は、撮像モードの状態で再生ボタン１８が押されると、再生モードに切り替わる。更に、デジタルカメラ１は、再生モードの状態でシャッターボタン１２が押されると、撮像モードに切り替わる。
【０１５３】
《撮像モード》
撮像モードに設定されたデジタルカメラ１は、シャッターボタン１２の操作に応じて、撮像処理を実施する。具体的には、シャッターボタン１２の半押し操作に応じて、ＡＥ及びＡＦの各処理を実施する。また、シャッターボタン１２の全押しの操作に応じて、記録用の撮像を実施し、得られた画像をメモリーカード６８に記録する。
【０１５４】
撮像に際して、ユーザーは、ビューファインダー３０又は背面モニター４を利用して、撮像範囲等を確認する。ビューファインダー３０と背面モニター４のいずれを利用するかは、ビューモードの設定による。ビューモードは、ビューモードボタン１７によって切り替えられる。
【０１５５】
ビューモードとして、背面モニター４が選択されている場合、背面モニター４にライブビューが表示される。すなわち、撮像レンズ３を介してイメージセンサー５２で捉えた画像が、背面モニター４にリアルタイムに表示される。ユーザーは、この背面モニター４の表示を見て、撮像範囲、焦点状態等を確認する。
【０１５６】
一方、ビューモードとして、ビューファインダー３０が選択されている場合、ユーザーは、ビューファインダー３０を利用して、撮像範囲等を確認する。
【０１５７】
ここで、ビューファインダー３０は、ＯＶＦ又はＥＶＦとして機能させることができる。ビューファインダー３０をＯＶＦとＥＶＦのいずれとして機能させるかは、ビューファインダー３０の設定による。ビューファインダー３０の設定は、ファインダー切替レバー１５によって切り替えられる。
【０１５８】
ＥＶＦが選択されている場合、ビューファインダー３０にライブビューが表示される（図５（Ｂ）参照）。この場合、ファインダーシャッター４２が閉じられ、ファインダーＬＣＤ３６にライブビューが表示される。これにより、ビューファインダー３０がＥＶＦとして機能する。ユーザーは、このＥＶＦとして機能するビューファインダー３０を利用して、撮像範囲、焦点状態等を確認する。
【０１５９】
一方、ＯＶＦが選択されている場合、ファインダーシャッター４２が開かれる。これにより、観察光学系３２を介してファインダー接眼部３０ｂから被写体の光学像が観察される。また、ＯＶＦが選択されている場合、ファインダーＬＣＤ３６に視野枠等が表示される。これにより、ファインダーＬＣＤ３６に表示された視野枠等が、観察光学系３２による被写体の光学像に重畳されて観察される。
【０１６０】
ＯＶＦが選択されている場合、ファインダー内の表示の視認性を向上させるため、測光部６４の測光結果（被写体輝度）に基づいて、ファインダーＬＣＤ３６の光量が制御される。すなわち、測光結果に応じた光量に制御される（図９参照）。
【０１６１】
また、測光部６４による測光結果に基づいて、可変ＮＤフィルター４０の透過率が切り替えられる。可変ＮＤフィルター４０の透過率は、測光部６４による測光結果が閾値ＢＴ未満の場合、第１の透過率τ１とされ、閾値ＢＴ以上の場合、透過率を第２の透過率τ２とされる。これにより、明るい環境から暗い環境まで常に良好な視認性を確保できる。
【０１６２】
《再生モード》
デジタルカメラ１は、再生モードに設定することにより、メモリーカード６８に記録された画像の再生が可能になる。
【０１６３】
再生モードに設定されると、最後に記録された画像が、メモリーカード６８から読み出され、背面モニター４に表示される。表示される画像は、操作部７６の操作に応じて、コマ送り、拡大、縮小等される。
【０１６４】
《電源オフ中の処理》
上記のように、デジタルカメラ１の電源がオフされると、その間、可変ＮＤフィルター４０の目標透過率が自動的に更新される。目標透過率は、時刻に合わせて更新される。
【０１６５】
図１０は、電源オフ中の可変ＮＤフィルターの目標透過率の更新処理の手順を示すフローチャートである。この処理手順は、ファインダー内表示制御方法の一例である。
【０１６６】
まず、デジタルカメラ１の電源がオフされたか否かが判定される（ステップＳ１０）。デジタルカメラ１は、電源レバー１１の操作でオン、オフされる。電源レバー１１をオフ位置に位置させると、デジタルカメラ１の電源がオフされる。
【０１６７】
デジタルカメラ１の電源がオフされると、可変ＮＤフィルター４０は、電源オフ時の透過率が維持される。したがって、目標透過率も電源オフ時の設定が維持される。
【０１６８】
デジタルカメラ１の電源がオフされると、電源オフからの経過時間が計時され、更新禁止期間を経過したか否かが判定される（ステップＳ１１）。
【０１６９】
ステップＳ１１において、更新禁止期間を経過していない、と判定されると、デジタルカメラ１の電源がオンされたか否かが判定される（ステップＳ１７）。デジタルカメラ１の電源がオンされた、と判定されると、目標透過率の更新処理は終了する。一方、デジタルカメラ１の電源がオンされていない、と判定されると、ステップＳ１１に戻り、再度、更新禁止期間を経過したか否かが判定される。
【０１７０】
ステップＳ１１において、更新禁止期間を経過した、と判定されると、計時部８０から現在の時刻の情報が取得される（ステップＳ１２）。次いで、取得された時刻の情報に基づいて、目標透過率の更新の要否が判定される（ステップＳ１３）。すなわち、現在の目標透過率の設定と、時間帯ごとに定められた透過率の情報とに基づいて、更新の要否が判定される。現在の目標透過率の設定が、時間帯ごとに定められた透過率と異なる場合、更新が必要と判定される。たとえば、現在時刻が１５：００の場合、時間帯は、日中の時間帯となり、設定すべき透過率は、第２の透過率τ２となる。これに対して、現在の目標透過率の設定が第１の透過率τ１の場合、更新が必要と判定される。一方、現在の目標透過率の設定が第２の透過率τ２の場合、更新は不要と判定される。
【０１７１】
ステップＳ１３において、更新が必要と判定されると、目標透過率が更新される（ステップＳ１４）。目標透過率が更新されると、可変ＮＤフィルター４０が駆動され、更新された目標透過率に合わせて透過率が切り替えられる（ステップＳ１５）。その後、デジタルカメラ１の電源がオンされたか否かが判定される（ステップＳ１６）。デジタルカメラ１の電源がオンされた、と判定されると、電源オフ中の目標透過率の更新処理は終了する。一方、電源がオンされていない、と判定されると、ステップＳ１２に戻り、再度、時刻情報が取得される。
【０１７２】
ステップＳ１３において、更新が不要と判定されると、更新処理は行われずにステップＳ１６に進み、デジタルカメラ１の電源がオンされたか否かが判定される（ステップＳ１６）。デジタルカメラ１の電源がオンされた、と判定されると、電源オフ中の目標透過率の更新処理は終了する。一方、電源がオンされていない、と判定されると、ステップＳ１２に戻り、再度、時刻情報が取得される。
【０１７３】
このように、電源オフ中は、時刻に合わせて目標透過率が更新される。これにより、電源投入時から可変ＮＤフィルター４０を適切な透過率に設定できる。この結果、電源投入時からファインダー内の表示の視認性を良好に確保できる。また、更新に際して、明るさ等の測定を行わないので、電力消費も抑制できる。
【０１７４】
［変形例］
《時間帯ごとに定められる透過率の変形例》
時間帯ごとに定められる透過率は、使用時期、使用地域等に応じて、自動的に切り替える構成としてもよい。たとえば、一年を春期、夏期、秋期及び冬季に分け、それぞれの期間において、時間帯ごとの透過率を個別に設定する。この場合、月日の切り替わりに応じて、時間帯ごとに定められる透過率が切り替わる。
【０１７５】
◆◆第２の実施の形態◆◆
本実施の形態のデジタルカメラでは、電源オフ中、一定の条件下で外光を測光し、その測光結果に基づいて、可変ＮＤフィルターの目標透過率を更新する。外光を測光するのは、撮像準備動作が検出された場合である。
【０１７６】
ここで、撮像準備動作とは、電源オフの状態から新たに撮像を開始する際に、ユーザーが撮像装置に対して行う動作をいう。この動作には、いくつかの形態が含まれるが、本実施の形態のデジタルカメラでは、デジタルカメラを構える動作を撮像準備動作と捉えて、これを検出する。デジタルカメラの電源オフ中、デジタルカメラを構える動作が検出されると、外光が測光され、その測光結果に基づいて、可変ＮＤフィルターの目標透過率が更新される。
【０１７７】
なお、撮像準備動作を検出するための構成を備える点以外は、実質的に、上記第１の実施の形態のデジタルカメラ１の構成と同じである。したがって、ここでは、撮像準備動作を検出するための構成と、その検出結果を利用した、可変ＮＤフィルターの目標透過率の更新についてのみ説明する。
【０１７８】
［構成］
図１１は、本実施の形態のデジタルカメラのビューファインダー制御部が実現する機能のブロック図である。
【０１７９】
ビューファインダー制御部１１０が、ファインダーシャッター制御部１１０ａ、ファインダーＬＣＤ表示制御部１１０ｂ、目標透過率更新部１１０ｃ及び可変ＮＤフィルター制御部１１０ｄ等の機能を実現する点は、上記第１の実施の形態のデジタルカメラと同じである。一方、目標透過率更新部１１０ｃに撮像準備動作検出部１００ｇからの出力が加えられる点で上記第１の実施の形態のデジタルカメラと相違する。
【０１８０】
《撮像準備動作検出部》
撮像準備動作検出部１００ｇは、水準器として機能するセンサー部７８の出力に基づいて、撮像準備動作を検出する。具体的には、センサー部７８の出力からデジタルカメラの姿勢が水平状態又は垂直状態になったことを検出して、デジタルカメラが構えられたことを検出し、撮像準備動作を検出する。すなわち、本実施の形態のデジタルカメラでは、デジタルカメラの姿勢が水平状態又は垂直状態になったことをもって、デジタルカメラが構えられたと捉え、これを撮像準備動作として検出する。水平状態とは、いわゆる横撮りの姿勢であり、垂直状態とは、いわゆる縦撮りの姿勢である。
【０１８１】
撮像準備動作検出部１００ｇは、一定の幅をもって水平状態及び垂直状態を検出する。すなわち、ほぼ水平とみなせる範囲、及び、ほぼ垂直とみなせる範囲を含めて、水平状態及び垂直状態を検出する。
【０１８２】
撮像準備動作検出部１００ｇの機能は、カメラ制御部１００が所定のプログラムを実行することにより実現される。
【０１８３】
《目標透過率更新部》
デジタルカメラの電源がオンの場合の処理は、上記第１の実施の形態のデジタルカメラの場合と同じである。したがって、ここでは、デジタルカメラの電源がオフの場合の処理についてのみ説明する。
【０１８４】
デジタルカメラの電源がオフの場合、目標透過率更新部１１０ｃは、更新禁止期間の経過後、時刻に合わせて可変ＮＤフィルター４０の目標透過率を更新する。この点は、上記第１の実施の形態のデジタルカメラの場合と同じである。更に、本実施の形態のデジタルカメラでは、撮像準備動作検出部１００ｇが、撮像準備動作を検出すると、測光部６４による測光結果に基づいて、可変ＮＤフィルター４０の目標透過率を更新する。具体的には、測光部６４で測光される被写体の明るさ（輝度）が、閾値ＢＴ未満の場合、可変ＮＤフィルター４０の透過率を第１の透過率τ１とし、閾値ＢＴ以上の場合、可変ＮＤフィルター４０の透過率を第２の透過率τ２とする。この点は、デジタルカメラの電源がオンの場合と同じである。第２の透過率τ２は、第１の透過率τ１よりも低い値である（τ１＞τ２）。
【０１８５】
このように、本実施の形態のデジタルカメラでは、電源オフ中に撮像準備動作が検出されると、外光が測光され、その測光結果に基づいて、可変ＮＤフィルター４０の透過率が切り替えられる。
【０１８６】
［作用］
図１２及び図１３は、電源オフ中の可変ＮＤフィルターの目標透過率の更新処理の手順を示すフローチャートである。この処理手順は、ファインダー内表示制御方法の一例である。
【０１８７】
図１２に示すように、まず、デジタルカメラ１の電源がオフされたか否かが判定される（ステップＳ１０）。デジタルカメラ１は、電源レバー１１の操作でオン、オフされる。電源レバー１１をオフ位置に位置させると、デジタルカメラ１の電源がオフされる。
【０１８８】
デジタルカメラ１の電源がオフされると、可変ＮＤフィルター４０は、電源オフ時の透過率が維持される。したがって、目標透過率も電源オフ時の設定が維持される。
【０１８９】
デジタルカメラ１の電源がオフされると、電源オフからの経過時間が計時され、更新禁止期間を経過したか否かが判定される（ステップＳ１１）。
【０１９０】
ステップＳ１１において、更新禁止期間を経過していない、と判定されると、デジタルカメラ１の電源がオンされたか否かが判定される（ステップＳ１７）。デジタルカメラの電源がオンされた、と判定されると、目標透過率の更新処理は終了する。一方、デジタルカメラの電源がオンされていない、と判定されると、ステップＳ１１に戻り、再度、更新禁止期間を経過したか否かが判定される。
【０１９１】
ステップＳ１１において、更新禁止期間を経過した、と判定されると、計時部８０から現在の時刻の情報が取得される（ステップＳ１２）。次いで、取得された時刻の情報に基づいて、目標透過率の更新の要否が判定される（ステップＳ１３）。
【０１９２】
ステップＳ１３において、更新が必要と判定されると、目標透過率が更新される（ステップＳ１４）。目標透過率が更新されると、可変ＮＤフィルター４０が駆動され、更新された目標透過率に合わせて透過率が切り替えられる（ステップＳ１５）。その後、デジタルカメラの電源がオンされたか否かが判定される（ステップＳ１６）。デジタルカメラの電源がオンされた、と判定されると、電源オフ中の目標透過率の更新処理は終了する。一方、電源がオンされていない、と判定されると、ステップＳ１２に戻り、再度、時刻情報が取得される。
【０１９３】
ステップＳ１３において、更新が不要と判定されると、撮像準備動作の検出の有無が判定される（ステップＳ２０）。撮像準備動作は、撮像準備動作検出部１００ｇで検出される。撮像準備動作検出部１００ｇは、センサー部７８の出力に基づいて、撮像準備動作を検出する。すなわち、水準器として機能するセンサー部７８の出力に基づいて、デジタルカメラの水平状態又は垂直状態を検出することにより、撮像準備動作を検出する。
【０１９４】
ステップＳ２０において、撮像準備動作の検出なし、と判定されると、デジタルカメラの電源がオンされたか否かが判定される（ステップＳ１６）。デジタルカメラの電源がオンされた、と判定されると、電源オフ中の目標透過率の更新処理は終了する。一方、電源がオンされていない、と判定されると、ステップＳ１２に戻り、再度、時刻情報が取得される。
【０１９５】
一方、ステップＳ２０において、撮像準備動作の検出あり、と判定されると、図１３に示すように、測光処理が行われる。すなわち、イメージセンサー５２が駆動され、そのイメージセンサー５２からの出力に基づいて、被写体の明るさ（輝度）が測光部６４で検出される。
【０１９６】
測光部６４で測光されると、その測光結果に基づいて、可変ＮＤフィルター４０の目標透過率が決定される（ステップＳ２２）。可変ＮＤフィルター４０の目標透過率は、測光部６４で測光される被写体の明るさ（輝度）が、閾値ＢＴ未満の場合、第１の透過率τ１とされる。一方、閾値ＢＴ以上の場合、第２の透過率τ２とされる。
【０１９７】
測光結果から可変ＮＤフィルター４０の目標透過率が決定されると、現在の目標透過率の設定の更新の要否が判定される（ステップＳ２３）。すなわち、現在の目標透過率の設定が、測光結果から求めた目標透過率と一致しているか否かが判定される。一致している場合、更新は不要と判定される。一方、一致していない場合は、更新が必要と判定される。
【０１９８】
ステップＳ２３において、更新が必要と判定されると、目標透過率が更新される（ステップＳ２４）。目標透過率が更新されると、可変ＮＤフィルター４０が駆動され、更新された目標透過率に合わせて透過率が切り替えられる（ステップＳ２５）。その後、デジタルカメラの電源がオンされたか否かが判定される（ステップＳ２６）。
【０１９９】
一方、ステップＳ２３において、更新が不要と判定されると、更新処理は行われず、そのままステップＳ２６に進んで、デジタルカメラ１の電源がオンされたか否かが判定される（ステップＳ２６）。
【０２００】
ステップＳ２６において、デジタルカメラの電源がオンされた、と判定されると、電源オフ中の目標透過率の更新処理は終了する。
【０２０１】
一方、ステップＳ２６において、デジタルカメラの電源がオンされていない、と判定されると、撮像準備動作の検出の有無が判定される（ステップＳ２７）。撮像準備動作の検出あり、と判定されると、ステップＳ２１に戻り、測光処理が行われる（ステップＳ２１）。一方、撮像準備動作の検出なし、と判定されると、ステップＳ２６に戻り、再度、デジタルカメラの電源がオンされたか否かが判定される（ステップＳ２６）。
【０２０２】
このように、本実施の形態のデジタルカメラでは、電源オフ中、時刻に合わせて可変ＮＤフィルター４０の透過率が切り替えられる一方、電源オフ中に撮像準備動作が検出されると、測光処理が行われ、その測光処理の結果に基づいて、可変ＮＤフィルター４０の透過率が切り替えられる。これにより、電源投入時からファインダー内の表示の視認性を良好に確保できる。また、測光処理は、撮像準備動作が検出された場合にのみ実施されるので、電力消費も抑制できる。
【０２０３】
［変形例］
《撮像準備動作の検出の変形例》
上記実施の形態では、デジタルカメラの水平状態又は垂直状態を検出して、撮像準備動作を検出しているが、撮像準備動作を検出する方法は、これに限定されるものではない。この他、たとえば、カメラボディー２のグリップ２ａを把持する動作を検出して、撮像準備動作を検出する構成とすることもできる。カメラボディー２のグリップ２ａを把持する動作は、たとえば、グリップ２ａにタッチセンサーを取り付けることで検出できる。また、撮像レンズ３にレンズキャップが取り付けられる構成の場合、そのレンズキャップの取り外し動作を検出して、撮像準備動作を検出する構成とすることもできる。レンズキャップの着脱は、たとえば、撮像レンズ３にレンズキャップの装着の有無を検出するセンサーを取り付けることで検出できる。
【０２０４】
《水準器の変形例》
上記実施の形態では、三軸加速度センサー７８ａ、三軸角速度センサー７８ｂ及び三軸地磁気センサー７８ｃを備えたセンサー部７８によって水準器を構成しているが、水準器の構成は、これに限定されるものではない。この他、公知の水準器を採用できる。
【０２０５】
《撮像準備動作の検出後の処理の変形例》
上記実施の形態では、撮像準備動作が検出されると、時刻に合わせた更新が行われなくなるが、最初の撮像準備動作が検出された後、一定時間内にデジタルカメラの電源がオンされなかった場合には、再度、時刻に合わせた更新処理を行う構成としてもよい。たとえば、ステップＳ２６において、デジタルカメラの電源がオンされていない、と判定された場合、最初の撮像準備動作の検出から一定時間が経過したか否かを判定する。一定時間が経過していない場合は、ステップＳ２７に進み、撮像準備動作の検出の有無を判定する。一方、一定時間が経過した場合は、ステップＳ１２に戻り、時刻に合わせた更新に復帰する。これにより、誤検出による可変ＮＤフィルター４０の透過率の切り替わりを防止できる。
【０２０６】
◆◆第３の実施の形態◆◆
図１４は、本実施の形態のデジタルカメラのビューファインダー制御部が実現する機能のブロック図である。
【０２０７】
同図に示すように、ビューファインダー制御部１１０が、目標透過率更新可否判定部１１０ｅの機能を更に有する点で上記第２の実施の形態のデジタルカメラと相違する。
【０２０８】
目標透過率更新可否判定部１１０ｅは、可変ＮＤフィルター４０の目標透過率の更新の可否を判定する。目標透過率更新部１１０ｃは、目標透過率更新可否判定部１１０ｅにおいて、目標透過率の更新が可と判定された場合に目標透過率を更新する。したがって、測光結果から目標透過率の更新が必要と判定された場合であっても、目標透過率更新可否判定部１１０ｅにおいて、目標透過率の更新が不可と判定された場合には更新処理を行わない。
【０２０９】
目標透過率更新可否判定部１１０ｅは、測光部６４の測光結果に基づいて、目標透過率の更新の可否を判定する。具体的には、測光部６４で測光される被写体の明るさ（輝度）が、あらかじめ定められた基準値以下の場合に目標透過率の更新を不可とする。すなわち、測光部６４で測光される被写体の明るさが一定値以下の場合は、デジタルカメラがケース等に収納されているとみなして、目標透過率の更新を不可とする。デジタルカメラがケース等に収納されている場合は、正確な測光値が得られない。したがって、この場合は、目標透過率の更新を不可とする。基準値は、たとえば、暗所で測光した際に得られる値に設定される。
【０２１０】
図１２及び図１５は、電源オフ中の可変ＮＤフィルターの目標透過率の更新処理の手順を示すフローチャートである。この処理手順は、ファインダー内表示制御方法の一例である。
【０２１１】
ステップＳ２０において、撮像準備動作の検出あり、と判定されるまでの処理は、上記第２の実施の形態のデジタルカメラと同じである。
【０２１２】
ステップＳ２０において、撮像準備動作の検出あり、と判定されると、図１５に示すように、測光処理が行われる。すなわち、イメージセンサー５２が駆動され、そのイメージセンサー５２からの出力に基づいて、被写体の明るさ（輝度）が測光部６４で検出される。
【０２１３】
測光部６４で測光されると、その測光結果に基づいて、可変ＮＤフィルター４０の目標透過率が決定される（ステップＳ２２）。可変ＮＤフィルター４０の目標透過率は、測光部６４で測光される被写体の明るさ（輝度）が、閾値ＢＴ未満の場合、第１の透過率τ１とされる。一方、閾値ＢＴ以上の場合、第２の透過率τ２とされる。
【０２１４】
測光結果から可変ＮＤフィルター４０の目標透過率が決定されると、現在の目標透過率の設定の更新の要否が判定される（ステップＳ２３）。すなわち、現在の目標透過率の設定が、測光結果から求めた目標透過率と一致しているか否かが判定される。一致している場合、更新は不要と判定される。一方、一致していない場合は、更新が必要と判定される。
【０２１５】
ステップＳ２３において、更新が必要と判定されると、次に、更新の可否が判定される（ステップＳ２３ａ）。更新の可否は、測光部６４の測光結果に基づいて判定される。すなわち、測光部６４で測光された被写体の明るさが基準値以下の場合、更新不可と判定される。一方、測光部６４で測光された被写体の明るさが基準値を超える場合、更新可能と判定される。
【０２１６】
ステップＳ２３ａにおいて、更新が可能と判定されると、目標透過率が更新される（ステップＳ２４）。目標透過率が更新されると、可変ＮＤフィルター４０が駆動され、更新された目標透過率に合わせて透過率が切り替えられる（ステップＳ２５）。その後、デジタルカメラの電源がオンされたか否かが判定される（ステップＳ２６）。
【０２１７】
一方、ステップＳ２３ａにおいて、更新が不可と判定されると、更新処理は行われず、そのままステップＳ２６に進んで、デジタルカメラ１の電源がオンされたか否かが判定される（ステップＳ２６）。ステップＳ２３において、更新が不要と判定された場合も同様にステップＳ２６に進んで、デジタルカメラ１の電源がオンされたか否かが判定される（ステップＳ２６）。
【０２１８】
ステップＳ２６において、デジタルカメラの電源がオンされた、と判定されると、電源オフ中の目標透過率の更新処理は終了する。
【０２１９】
一方、ステップＳ２６において、デジタルカメラの電源がオンされていない、と判定されると、撮像準備動作の検出の有無が判定される（ステップＳ２７）。撮像準備動作の検出あり、と判定されると、ステップＳ２１に戻り、測光処理が行われる（ステップＳ２１）。一方、撮像準備動作の検出なし、と判定されると、ステップＳ２６に戻り、再度、デジタルカメラの電源がオンされたか否かが判定される（ステップＳ２６）。
【０２２０】
このように、本実施の形態のデジタルカメラでは、電源オフ中、時刻に合わせて可変ＮＤフィルター４０の透過率が切り替えられる一方、電源オフ中に撮像準備動作が検出されると、測光処理が行われ、その測光処理の結果に基づいて、可変ＮＤフィルター４０の透過率が切り替えられる。これにより、電源投入時からファインダー内の表示の視認性を良好に確保できる。また、測光処理は、撮像準備動作が検出された場合にのみ実施されるので、電力消費も抑制できる。また、本実施の形態のデジタルカメラによれば、測光の適否が判定され、必要に応じて更新処理が禁止されるので、適切に可変ＮＤフィルター４０の透過率を更新できる。
【０２２１】
［変形例］
《目標透過率の更新の可否の判定の変形例》
上記実施の形態では、測光部６４の測光結果に基づいて、目標透過率の更新の可否を判定しているが、目標透過率の更新の可否を判定する方法は、これに限定されるものではない。この他、たとえば、イメージセンサー５２の出力に基づいて測光する場合、撮像レンズ３にキャップが取り付けられていると測光不能になる。したがって、この場合は、キャップの装着の有無を検出して、目標透過率の更新の可否を判定できる。すなわち、キャップの装着が検出された場合は、目標透過率の更新を不可とする。デジタルカメラがケースに収納されている場合も測光不能となる。したがって、この場合はケースに収納されているか否かを検出して、目標透過率の更新の可否を判定する構成とすることができる。このように、測光部による測光が可能か否か検出し、その検出結果に基づいて、目標透過率の更新の可否を判定する構成とすることができる。また、ユーザーの設定で電源オフ中の測光を禁止できるように構成し、その設定状態に基づいて、目標透過率の更新の可否を判定してもよい。
【０２２２】
◆◆その他の実施の形態◆◆
［バッテリー残量に応じた実施レベルの切り替え］
デジタルカメラの電源オフ中に行う可変ＮＤフィルターの目標透過率の更新処理は、バッテリー残量に応じて、その実施レベルを切り替えることが好ましい。
【０２２３】
図１６は、バッテリー残量に応じて目標透過率の更新処理の実施レベルを切り替えるシステムのブロック図である。
【０２２４】
同図に示すように、バッテリー残量に応じて目標透過率の更新処理の実施レベルを切り替えるのに必要な構成として動作制限部１００ｈが備えられる。動作制限部１００ｈは、カメラ制御部１００の一機能として提供される。すなわち、カメラ制御部１００が、所定のプログラムを実行することにより、動作制限部１００ｈとして機能する。
【０２２５】
動作制限部１００ｈは、バッテリー残量検出回路８６ｃからバッテリー残量の情報を取得し、得られたバッテリー残量の情報に基づいて、段階的にセンサー部７８、撮像準備動作検出部１００ｇ及び目標透過率更新部１１０ｃの動作を制限する。具体的には、バッテリー残量が第１の残量以下になると、センサー部７８及び撮像準備動作検出部１００ｇの動作を停止させる。これにより、撮像準備動作の検出処理が停止される。更にバッテリー残量が低下し、第１の残量よりも少ない第２の残量以下になると、目標透過率更新部１１０ｃの動作を停止させる。これにより、電源オフ中の可変ＮＤフィルター４０の目標透過率の更新処理が停止される。
【０２２６】
このように、バッテリー残量に応じて目標透過率の更新処理の実施レベルが段階的に切り替えられる。これにより、電力消費を抑えつつ、適切に可変ＮＤフィルター４０の目標透過率を更新できる。
【０２２７】
［可変ＮＤフィルターの変形例］
上記実施の形態では、電子的可変ＮＤフィルターとして、エレクトロクロミック素子で構成されるＮＤフィルターを使用しているが、本発明に適用可能な電子的可変ＮＤフィルターは、これに限定されるものではない。透過率（濃度）を電子制御できる構成のＮＤフィルターであればよい。したがって、たとえば、液晶で構成されるＮＤフィルターを使用することもできる。
【０２２８】
また、上記実施の形態では、可変ＮＤフィルター４０の透過率を２段階で切り替える構成としているが、更に細かい段数で切り替える構成としてもよい。たとえば、３段階で切り替える構成としてもよい。
【０２２９】
また、上記実施の形態では、可変ＮＤフィルター４０をファインダー窓部３０ａに配置しているが、可変ＮＤフィルター４０の配置位置は、これに限定されるものではない。ファインダー窓部３０ａからビームスプリッター３４に至るまでの光路中に配置されていればよい。
【０２３０】
［表示デバイスの変形例］
上記実施の形態では、表示デバイスとして、ＬＣＤを使用しているが、本発明に適用可能な表示デバイスは、これに限定されるものではない。この他、たとえば、有機エレクトロルミネッセンスディスプレイ（Organic ElectroLuminescence Display、Organic Light Emitting Diode Display、OLED Display）、蛍光表示管（ＶＦＤ：Vacuum Fluorescent Display）、プラズマディスプレイパネル（ＰＤＰ： Plasma Display Panel）、などの表示デバイス、特にフラットパネルディスプレイデバイスを使用できる。
【０２３１】
［測光部の変形例］
上記実施の形態では、イメージセンサー５２から出力された画像信号に基づいて、外光を測光する構成としているが、外光を測光する測光部の構成は、これに限定されるものではない。
【０２３２】
図１７は、測光部の他の一例を示す概略構成図である。
【０２３３】
同図に示すように、本例の測光部は、照度センサー１２０で構成される。照度センサー１２０は、観察光学系３２の光軸Ｌｏに直交し、かつ、ビームスプリッター３４の半透膜３４ａを通る光軸Ｌｓ上に配置される。照度センサー１２０には、ファインダー窓部３０ａから入射する外光の一部、及び、ファインダーＬＣＤ３６からの光の一部が入射する。ファインダー窓部３０ａから入射した外光は、可変ＮＤフィルター４０、対物レンズ３２ａを透過して、ビームスプリッター３４に入射する。ビームスプリッター３４に入射した外光は、一部が半透膜３４ａで反射されて、照度センサー１２０に入射する。ファインダーＬＣＤ３６からの光は、ビームスプリッター３４に入射し、一部が半透膜３４ａを透過して、照度センサー１２０に入射する。照度センサー１２０は、その受光部に入射した光の光量に基づいて、ビューファインダー３０の内部の照度を検出する。可変ＮＤフィルター制御部は、照度センサー１２０の検出結果に基づいて、可変ＮＤフィルター４０の透過率を切り替える。
【０２３４】
なお、本例では、照度センサー１２０でファインダー内の照度を検出する構成としているが、たとえば、照度センサーをカメラボディーの正面に配置して外光の照度を検出する構成としてもよい。この場合、ファインダー窓部３０ａの近傍に備えることが好ましい。
【０２３５】
［重畳光学素子の変形例］
上記実施の形態では、重畳光学素子として、プリズム型のビームスプリッター３４を使用しているが、本発明に適用可能な重畳光学素子は、これに限定されるものではない。この他、たとえば、ハーフミラー等を重畳光学素子として使用することができる。
【０２３６】
［レフレックスファインダーを備えたカメラへの適用］
本発明は、レフレックスファインダーを備えたカメラにも適用できる。たとえば、一眼レフカメラにも適用できる。
【０２３７】
図１８は、本発明が適用された一眼レフカメラの一例を示す概略構成図である。
【０２３８】
一眼レフカメラ２００は、その光学ファインダーとして、レフレックスファインダー２１０を備える。
【０２３９】
図１８に示すように、撮像レンズ２０２を通過した光は、反射ミラー２１２で反射され、イメージセンサー２０４の撮像面と等価の結像面に置かれたフォーカシングスクリーン２１４上に結像する。ユーザーは、接眼レンズ２１６、ペンタゴナルダハプリズム２１８を介して、フォーカシングスクリーン２１４上に結像した被写体の光学像を観察する。
【０２４０】
本例の一眼レフカメラ２００には、更に、ファインダーＬＣＤ２２０と、そのファインダーＬＣＤ２２０の表示を接眼レンズ２１６から観察される像に重畳させるためのビームスプリッター２２２及びターゲットレンズ２２４が備えられる。
【０２４１】
ビームスプリッター２２２は、重畳光学素子の一例である。ビームスプリッター２２２は、その内部の斜面に半透膜２２２ａを有する。ビームスプリッター２２２は、ペンタゴナルダハプリズム２１８と接眼レンズ２１６との間に配置される。
【０２４２】
ファインダーＬＣＤ２２０は、表示デバイスの一例である。ファインダーＬＣＤ２２０は、接眼レンズ２１６の光軸と直交する光軸上に配置される。
【０２４３】
ターゲットレンズ２２４は、ファインダーＬＣＤ２２０とビームスプリッター２２２の間の光路に配置され、ファインダーＬＣＤ２２０からの光を接眼レンズ２１６に導く。
【０２４４】
ファインダーＬＣＤ２２０に画像を表示すると、ファインダーＬＣＤ２２０からの光が、ターゲットレンズ２２４を介してビームスプリッター２２２に入射する。ビームスプリッター２２２に入射した光は、半透膜２２２ａで反射され、接眼レンズ２１６を介してアイポイントＥＰに入射する。
【０２４５】
これにより、フォーカシングスクリーン上の像にファインダーＬＣＤ２２０の表示が重畳されて観察される。
【０２４６】
本例の一眼レフカメラ２００には、更に、ペンタゴナルダハプリズム２１８とビームスプリッター２２２との間に可変ＮＤフィルター２２６が配置される。可変ＮＤフィルター２２６は、電子的可変ＮＤフィルターの一例であり、透過率を電子制御できるＮＤフィルターで構成される。可変ＮＤフィルター２２６は、その透過率（濃度）を変化させることにより、ペンタゴナルダハプリズム２１８からビームスプリッター２２２に入射する光の光量を調整する。可変ＮＤフィルター２２６は、図示しない透過率計測部によって、その透過率が計測される。
【０２４７】
上記実施の形態のデジタルカメラ１と同様に、可変ＮＤフィルター２２６は、外光の測光結果に基づいて、その透過率が切り替えられる。
【０２４８】
また、可変ＮＤフィルター２２６の透過率が切り替えられた場合には、その透過率が、透過率計測部によってリアルタイムに計測される。そして、その計測結果に基づいて、ファインダーＬＣＤ２２０の光量がリアルタイムに制御される。
【０２４９】
このように、本発明はレフレックスファインダーを備えたカメラにも適用できる。
【０２５０】
［ビューファインダーの変形例］
上記実施の形態では、ＥＶＦとしても使用できるように構成しているが、ＥＶＦとしての機能は省略してもよい。この場合、ファインダーシャッターを省略できる。
【０２５１】
また、上記実施の形態では、ファインダーシャッターをいわゆるメカシャッターで構成しているが、液晶シャッター等を使用することもできる。
【０２５２】
また、上記実施の形態では、観察光学系３２を逆ガリレオ式ファインダーの観察光学系で構成しているが、ビューファインダーの観察光学系の構成は、これに限定されるものではない。撮像レンズとは、独立した光学系で構成されていればよい。
【０２５３】
［撮像装置の変形例］
上記実施の形態では、本発明をレンズ一体型のデジタルカメラに適用した場合を例に説明したが、本発明の適用は、これに限定されるものではない。レンズ交換式のデジタルカメラにも同様に適用できる。
【０２５４】
［その他の変形例］
上記実施の形態では、カメラ制御部１００をマイクロコンピュータで構成しているが、これらの機能を実現するためのハードウェア的な構成は、これに限定されるものではない。各種のプロセッサで構成できる。各種のプロセッサには、ソフトウェア（プログラム）を実行して各種の処理を行う処理部として機能する汎用的なプロセッサであるＣＰＵ、ＦＰＧＡ（ＦＰＧＡ：Field Programmable Gate Array）などの製造後に回路構成を変更可能なプロセッサであるＰＬＤ（ＰＬＤ：Programmable Logic Device）、ＡＳＩＣ（ＡＳＩＣ：Application Specific Integrated Circuit）などの特定の処理を実行させるために専用に設計された回路構成を有するプロセッサである専用電気回路などが含まれる。
【０２５５】
一つの処理部は、これら各種のプロセッサのうちの一つで構成されていてもよいし、同種又は異種の二つ以上のプロセッサで構成されていてもよい。たとえば、複数のＦＰＧＡで構成されてもよいし、ＣＰＵ及びＦＰＧＡの組み合わせで構成されてもよい。
【０２５６】
また、複数の処理部を一つのプロセッサで構成してもよい。複数の処理部を一つのプロセッサで構成する例としては、第１に、クライアント、サーバなどのコンピュータに代表されるように、一つ以上のＣＰＵとソフトウェアとの組合せで一つのプロセッサを構成し、このプロセッサが複数の処理部として機能する形態がある。第２に、システムオンチップ（ＳｏＣ：System On Chip）などに代表されるように、複数の処理部を含むシステム全体の機能を一つのＩＣチップ（ＩＣ：Integrated Circuit）で実現するプロセッサを使用する形態がある。このように、各種の処理部は、ハードウェア的な構造として、上記各種のプロセッサを一つ以上用いて構成される。
【０２５７】
更に、これらの各種のプロセッサのハードウェア的な構造は、より具体的には、半導体素子などの回路素子を組み合わせた電気回路である。
【符号の説明】
【０２５８】
１  デジタルカメラ
２  カメラボディー
２ａ  グリップ
３  撮像レンズ
３ｆ  フォーカスレンズ
３ｉ  絞り
４  背面モニター
１１  電源レバー
１２  シャッターボタン
１３  露出補正ダイヤル
１４  シャッタースピードダイヤル
１５  ファインダー切替レバー
１６  コマンドダイヤル
１７  ビューモードボタン
１８  再生ボタン
１９  消去ボタン
２０  ファンクションボタン
２１  ＡＥ／ＡＦロックボタン
２２  セレクターボタン
２３  ＯＫボタン
２４  メニューボタン
２５  ＤＩＳＰ／ＢＡＣＫボタン
３０  ビューファインダー
３０ａ  ファインダー窓部
３０ｂ  ファインダー接眼部
３２  観察光学系
３２ａ  対物レンズ
３２ｂ  接眼レンズ
３４  ビームスプリッター
３４ａ  半透膜
３６  ファインダーＬＣＤ
３８  ターゲットレンズ
４０  可変ＮＤフィルター
４２  ファインダーシャッター
４２ａ  ファインダーシャッター地板
４２ｂ  ファインダーシャッター駆動部
４４  カバーガラス
５０  レンズ駆動部
５０ｆ  フォーカスレンズ駆動部
５０ｉ  絞り駆動部
５２  イメージセンサー
５４  イメージセンサー駆動部
５６  アナログ信号処理部
５８  アナログデジタル変換器
６０  デジタル信号処理部
６２  ＡＦ検出部
６４  測光部
６６  メモリーカードインターフェース部
６８  メモリーカード
７０  背面モニタードライバー
７２  通信インターフェース部
７４  ＥＥＰＲＯＭ
７６  操作部
７８  センサー部
７８ａ  三軸加速度センサー
７８ｂ  三軸角速度センサー
７８ｃ  三軸地磁気センサー
８０  計時部
８２  ファインダーＬＣＤドライバー
８４  可変ＮＤフィルタードライバー
８６  電源部
８６ａ  バッテリー
８６ｂ  電源供給回路
８６ｃ  バッテリー残量検出回路
１００  カメラ制御部
１００ａ  ＡＦ制御部
１００ｂ  ＡＥ制御部
１００ｃ  記録制御部
１００ｄ  通信制御部
１００ｅ  背面モニター表示制御部
１００ｆ  電源制御部
１００ｇ  撮像準備動作検出部
１００ｈ  動作制限部
１１０  ビューファインダー制御部
１１０ａ  ファインダーシャッター制御部
１１０ｂ  ファインダーＬＣＤ表示制御部
１１０ｃ  目標透過率更新部
１１０ｄ  可変ＮＤフィルター制御部
１１０ｅ  目標透過率更新可否判定部
１２０  照度センサー
２００  一眼レフカメラ
２０２  撮像レンズ
２０４  イメージセンサー
２１０  レフレックスファインダー
２１２  反射ミラー
２１４  フォーカシングスクリーン
２１６  接眼レンズ
２１８  ペンタゴナルダハプリズム
２２０  ファインダーＬＣＤ
２２２  ビームスプリッター
２２２ａ  半透膜
２２４  ターゲットレンズ
２２６  可変ＮＤフィルター
ＢＴ  閾値
ＥＰ  アイポイント
Ｆ１  視野枠
Ｆ２  ＡＦ枠
Ｉ１  撮像情報
Ｌｄ  光軸
Ｌｏ  光軸
Ｌｓ  光軸
Ｚ  光軸
τ１  第１の透過率
τ２  第２の透過率 
Ｓ１０〜Ｓ２７  電源オフ中の可変ＮＤフィルターの目標透過率の更新処理の手順
【図１】
2019087930.tif 000003
【図２】
2019087930.tif 000004
【図３】
2019087930.tif 000005
【図４】
2019087930.tif 000006
【図５】
2019087930.tif 000007
【図６】
2019087930.tif 000008
【図７】
2019087930.tif 000009
【図８】
2019087930.tif 000010
【図９】
2019087930.tif 000011
【図１０】
2019087930.tif 000012
【図１１】
2019087930.tif 000013
【図１２】
2019087930.tif 000014
【図１３】
2019087930.tif 000015
【図１４】
2019087930.tif 000016
【図１５】
2019087930.tif 000017
【図１６】
2019087930.tif 000018
【図１７】
2019087930.tif 000019
【図１８】
2019087930.tif 000020
【手続補正書】
【提出日】令和2年5月28日(2020.5.28)
【手続補正１】
【補正対象書類名】明細書
【補正対象項目名】０００５
【補正方法】変更
【補正の内容】
【０００５】
【特許文献１】特開2014-48491号公報
【特許文献２】特開2003-78785号公報
【特許文献３】特開2007-336169号公報
【国際調査報告】
2019087930.tif 000021
2019087930.tif 000022
2019087930.tif 000023